(57)【要約】  一態様によれば、無線デバイスが、前もって設定された２つ以上の帯域幅部分（ＢＷＰ）のうちの１つ中で選択的に動作するように設定され、各ＢＷＰが、アップリンクおよび／またはダウンリンク動作のための利用可能帯域幅の異なるサブセットである。無線デバイスは、アクティブＲＲＣ状態から非アクティブＲＲＣ状態に切り替え、切り替えることの後に、切り替えることの直前にアクティブなＢＷＰに対応する物理レイヤ設定を保持する。【選択図】図８
2021514131.tif 000002
【特許請求の範囲】
【請求項１】
前もって設定された２つ以上の帯域幅部分（ＢＷＰ）のうちの１つ中で選択的に動作するように設定された無線デバイス（５０）における方法（８００）であって、各ＢＷＰが、アップリンクおよび／またはダウンリンク動作のための利用可能帯域幅の異なるサブセットであり、前記方法（８００）が、
アクティブ無線リソース制御（ＲＲＣ）状態から非アクティブＲＲＣ状態に切り替えること（８０２）と、
前記切り替えること（８０２）の後に、前記切り替えること（８０２）の直前にアクティブな前記ＢＷＰに対応する物理レイヤ設定を保持すること（８０４）と
を含む、方法（８００）。
【請求項２】
前記物理レイヤ設定が、前記前もって設定された２つ以上のＢＷＰのうちの、前記切り替えること（８０２）の直前にアクティブな前記ＢＷＰに一意に対応する専用物理レイヤ設定である、請求項１に記載の方法（８００）。
【請求項３】
前記保持すること（８０４）が、前記切り替えること（８０２）の直前にアクティブな前記ＢＷＰを含む、前記前もって設定された２つ以上の帯域幅部分の各々のための専用物理レイヤ設定を保持することを含む、請求項２に記載の方法（８００）。
【請求項４】
前記物理レイヤ設定が、前記切り替えること（８０２）の直前にアクティブな前記ＢＷＰを含む、前記前もって設定された２つ以上のＢＷＰに対応する共通物理レイヤ設定である、請求項１に記載の方法（８００）。
【請求項５】
後で前記アクティブＲＲＣ状態に復帰したときに、前記切り替えること（８０２）の直前にアクティブな前記ＢＷＰに対応する前記物理レイヤ設定を使用すること
をさらに含む、請求項１から４のいずれか一項に記載の方法（８００）。
【請求項６】
前記切り替えること（８０２）の後に、前記非アクティブＲＲＣ状態にある間に、前記切り替えること（８０２）の直前にアクティブな前記ＢＷＰに対応する前記物理レイヤ設定を使用してシステム情報および／またはページングを監視すること
をさらに含む、請求項１から５のいずれか一項に記載の方法（８００）。
【請求項７】
前記非アクティブＲＲＣ状態にある間に、前記切り替えること（８０２）の直前にアクティブな前記ＢＷＰに対応する前記物理レイヤ設定をランダムアクセス試行を行うために使用すること
をさらに含む、請求項６に記載の方法（８００）。
【請求項８】
前記ランダムアクセス試行の失敗時に、前記切り替えること（８０２）の直前にアクティブな前記ＢＷＰに対応する前記保持された物理レイヤ設定を廃棄し、後続のランダムアクセス試行のために初期ＢＷＰに戻ること
をさらに含む、請求項７に記載の方法（８００）。
【請求項９】
前記切り替えること（８０２）の直前にアクティブな前記ＢＷＰに対応する前記物理レイヤ設定を前記使用することのいずれかが、前記非アクティブ状態にある間に、前記切り替えること（８０２）の直前にアクティブな前記ＢＷＰのための前記専用物理レイヤ設定の変更を指示するシステム情報（ＳＩ）を受信しなかったことを条件とする、請求項３から８のいずれか一項に記載の方法（８００）。
【請求項１０】
前記保持することが、無線ネットワークノードから、前記ＢＷＰに対応する前記物理レイヤ設定を保つようにとの指示を受信したことに応答するものである、請求項１から９のいずれか一項に記載の方法（８００）。
【請求項１１】
前記無線デバイス（５０）が、前記非アクティブＲＲＣ状態にある間に、セルを、ソースセルからターゲットセルに変更し、前記指示が、前記ターゲットセルを動作させるネットワークノードから受信される、請求項１０に記載の方法（８００）。
【請求項１２】
前記無線デバイス（５０）が、前記非アクティブＲＲＣ状態にある間に、セルを、ソースセルからターゲットセルに変更し、前記指示が、前記ソースセルを動作させるネットワークノードから受信される、請求項１０に記載の方法（８００）。
【請求項１３】
前記指示が、ＲＲＣ中断メッセージ中で受信される、請求項１０に記載の方法（８００）。
【請求項１４】
前記切り替えること（８０２）の直前にアクティブな前記ＢＷＰに対応する前記物理レイヤ設定が、
チャネル状態情報（ＣＳＩ）報告と、
干渉測定報告と、
サウンディング参照信号（ＳＲＳ）設定と
のうちのいずれか１つまたは複数に関係するパラメータを含む、請求項１から１３のいずれか一項に記載の方法（８００）。
【請求項１５】
前もって設定された２つ以上の帯域幅部分（ＢＷＰ）のうちの１つ中で選択的に動作するように設定された無線デバイス（５０）をサーブするネットワークノード（３０）における方法（６００）であって、各ＢＷＰが、アップリンクおよび／またはダウンリンク動作のための利用可能帯域幅の異なるサブセットであり、前記方法（６００）が、
アクティブ無線リソース設定（ＲＲＣ）状態から非アクティブＲＲＣ状態に切り替えると、前記無線デバイス（５０）に、前記切り替えることの直前に前記無線デバイス（５０）によって使用中のＢＷＰに対応する物理レイヤ設定を保持するようにとの指示を送出すること（６０２）
を含む、方法（６００）。
【請求項１６】
前記送出することが、前記無線デバイス（５０）を前記非アクティブＲＲＣ状態に遷移させることとともに実施される、請求項１５に記載の方法（６００）。
【請求項１７】
前記送出すること（６０２）が、ブロードキャストされたシステム情報（ＳＩ）を介する、請求項１５に記載の方法（６００）。
【請求項１８】
前記方法（６００）が、
保持するようにとの前記指示を前記送出することの後に、前記無線デバイス（５０）に、前記切り替えることの直前に前記無線デバイス（５０）によって使用中の前記ＢＷＰに対応する前記物理レイヤ設定に対する１つまたは複数の更新を送出すること
をさらに含む、請求項１５から１７のいずれか一項に記載の方法（６００）。
【請求項１９】
前もって設定された２つ以上の帯域幅部分（ＢＷＰ）のうちの１つ中で選択的に動作するように設定された無線デバイス（５０）であって、各ＢＷＰが、アップリンクおよび／またはダウンリンク動作のための利用可能帯域幅の異なるサブセットであり、前記無線デバイス（５０）が、
無線通信ネットワークのネットワークノードと通信するために設定されたトランシーバ回路要素（５６）と、
前記トランシーバ回路要素（５６）に動作可能に関連付けられ、
アクティブ無線リソース制御（ＲＲＣ）状態から非アクティブＲＲＣ状態に切り替えることと、
前記切り替えることの後に、前記切り替えることの直前にアクティブな前記ＢＷＰに対応する物理レイヤ設定を保持することと
を行うように設定された、処理回路要素（５２）と
を備える、無線デバイス（５０）。
【請求項２０】
前記物理レイヤ設定が、前記前もって設定された２つ以上のＢＷＰのうちの、前記切り替えることの直前にアクティブな前記ＢＷＰに一意に対応する専用物理レイヤ設定である、請求項１９に記載の無線デバイス（５０）。
【請求項２１】
前記処理回路要素（５２）が、前記切り替えることの直前にアクティブな前記ＢＷＰを含む、前記前もって設定された２つ以上のＢＷＰの各々のための専用物理レイヤ設定を保持することによって前記物理レイヤ設定を保持するように設定された、請求項２０に記載の無線デバイス（５０）。
【請求項２２】
前記物理レイヤ設定が、前記切り替えることの直前にアクティブな前記ＢＷＰを含む、前記前もって設定された２つ以上のＢＷＰに対応する共通物理レイヤ設定である、請求項１９に記載の無線デバイス（５０）。
【請求項２３】
前記処理回路要素（５２）が、
後で前記アクティブＲＲＣ状態に復帰したときに、前記切り替えることの直前にアクティブな前記ＢＷＰに対応する前記物理レイヤ設定を使用すること
を行うように設定された、請求項１９から２２のいずれか一項に記載の無線デバイス（５０）。
【請求項２４】
前記処理回路要素（５２）が、
前記切り替えることの後に、前記非アクティブＲＲＣ状態にある間に、前記切り替えることの直前にアクティブな前記ＢＷＰに対応する前記物理レイヤ設定を使用してシステム情報および／またはページングを監視すること
を行うように設定された、請求項１９から２３のいずれか一項に記載の無線デバイス（５０）。
【請求項２５】
前記処理回路要素（５２）が、
前記非アクティブＲＲＣ状態にある間に、前記切り替えることの直前にアクティブな前記ＢＷＰに対応する前記物理レイヤ設定をランダムアクセス試行を行うために使用すること
を行うように設定された、請求項２４に記載の無線デバイス（５０）。
【請求項２６】
前記処理回路要素（５２）が、
前記ランダムアクセス試行の失敗時に、前記切り替えることの直前にアクティブな前記ＢＷＰに対応する前記保持された物理レイヤ設定を廃棄し、後続のランダムアクセス試行のために初期ＢＷＰに戻ること
を行うように設定された、請求項２５に記載の無線デバイス（５０）。
【請求項２７】
前記切り替えることの直前にアクティブな前記ＢＷＰに対応する前記物理レイヤ設定を前記使用することのいずれかが、前記非アクティブ状態にある間に、前記切り替えることの直前にアクティブな前記ＢＷＰのための前記専用物理レイヤ設定の変更を指示するシステム情報（ＳＩ）を受信しなかったことを条件とする、請求項２１から２６のいずれか一項に記載の無線デバイス（５０）。
【請求項２８】
前記処理回路要素（５２）が、無線ネットワークノードから、前記ＢＷＰに対応する前記物理レイヤ設定を保つようにとの指示を受信したことに応答して、前記保持することを実施するように設定された、請求項１９から２７のいずれか一項に記載の無線デバイス（５０）。
【請求項２９】
前記無線デバイス（５０）が、前記非アクティブＲＲＣ状態にある間に、セルを、ソースセルからターゲットセルに変更し、前記指示が、前記ターゲットセルを動作させるネットワークノードから受信される、請求項２８に記載の無線デバイス（５０）。
【請求項３０】
前記無線デバイス（５０）が、前記非アクティブＲＲＣ状態にある間に、セルを、ソースセルからターゲットセルに変更し、前記指示が、前記ソースセルを動作させるネットワークノードから受信される、請求項２８に記載の無線デバイス（５０）。
【請求項３１】
前記指示が、ＲＲＣ中断メッセージ中で受信される、請求項２８に記載の無線デバイス（５０）。
【請求項３２】
前記切り替えることの直前にアクティブな前記ＢＷＰに対応する前記物理レイヤ設定が、
チャネル状態情報（ＣＳＩ）報告と、
干渉測定報告と、
サウンディング参照信号（ＳＲＳ）設定と
のうちのいずれか１つまたは複数に関係するパラメータを含む、請求項１９から３１のいずれか一項に記載の無線デバイス（５０）。
【請求項３３】
前もって設定された２つ以上の帯域幅部分（ＢＷＰ）のうちの１つ中で選択的に動作するように設定された無線デバイス（５０）をサーブするように設定されたネットワークノード（３０）であって、各ＢＷＰが、アップリンクおよび／またはダウンリンク動作のための利用可能帯域幅の異なるサブセットであり、前記ネットワークノード（３０）が、
前記無線デバイス（５０）と通信するために設定されたトランシーバ回路要素（３６）と、
前記トランシーバ回路要素（３６）に動作可能に関連付けられ、
アクティブ無線リソース設定（ＲＲＣ）状態から非アクティブＲＲＣ状態に切り替えると、前記無線デバイス（５０）に、前記切り替えることの直前に前記無線デバイス（５０）によって使用中のＢＷＰに対応する物理レイヤ設定を保持するようにとの指示を送出すること
を行うように設定された、処理回路要素（３２）と
を備える、ネットワークノード（３０）。
【請求項３４】
前記処理回路要素（３２）が、前記無線デバイス（５０）を前記非アクティブＲＲＣ状態に遷移させることとともに前記送出することを実施するように設定された、請求項３３に記載のネットワークノード（３０）。
【請求項３５】
前記処理回路要素（３２）が、ブロードキャストされたシステム情報（ＳＩ）を介して前記指示を送出するように設定された、請求項３３に記載のネットワークノード（３０）。
【請求項３６】
前記処理回路要素（３２）が、
保持するようにとの前記指示を前記送出することの後に、前記無線デバイス（５０）に、前記切り替えることの直前に前記無線デバイス（５０）によって使用中の前記ＢＷＰに対応する前記物理レイヤ設定に対する１つまたは複数の更新を送出すること
を行うように設定された、請求項３３から３５のいずれか一項に記載のネットワークノード（３０）。
【請求項３７】
請求項１から１４のいずれか一項に記載の方法（８００）を実施するように適応された無線デバイス（５０）。
【請求項３８】
請求項１５から１８のいずれか一項に記載の方法（６００）を実施するように適応されたネットワークノード（３０）。
【請求項３９】
少なくとも１つの処理回路（３２、５２）上で実行されたとき、前記少なくとも１つの処理回路（３２、５２）に、請求項１から１８のいずれか一項に記載の方法（６００、８００）を行わせる命令を備える、コンピュータプログラム製品（４６、６６）。
【請求項４０】
請求項３９に記載のコンピュータプログラム製品（４６、６６）を含んでいるキャリアであって、前記キャリアが、電子信号、光信号、無線信号、またはコンピュータ可読記憶媒体（４４、６４）のうちの１つである、キャリア。
【発明の詳細な説明】
【技術分野】
【０００１】
本開示は、一般に、無線ネットワーク通信の分野に関し、より詳細には、前もって設定された２つ以上の帯域幅部分（ＢＷＰ）のうちの１つ中で選択的に動作するように設定された無線デバイスであって、各ＢＷＰが、アップリンクおよび／またはダウンリンク動作のための利用可能帯域幅の異なるサブセットである、無線デバイスに関する。
【背景技術】
【０００２】
いわゆる帯域幅部分（ＢＷＰ）についての第３世代パートナーシッププロジェクト（３ＧＰＰ）５Ｇ規格化における進行中の議論がある。ＢＷＰを使用する１つの理由は、いくつかのユーザ機器（ＵＥ）が、帯域幅全体を使用することが可能でないことがあり、その場合、それらのＵＥは、それらのＵＥがハンドリングすることが可能であるより小さいＢＷＰを割り振られることである。ＢＷＰを使用する別の理由は、バッテリー電力を節約することである。ＵＥは、必要とされるエネルギーを低減するために、より狭いＢＷＰを割り振られ得る。
【０００３】
これまで、各ＵＥは、少なくとも初期ＢＷＰ（すべてのＵＥについて同じであり、すべてのＵＥがそれを使用することが可能であるのに十分な狭帯域幅をもつ）とデフォルトＢＷＰとを割り振られることが合意されている。デフォルトＢＷＰは、初期ＢＷＰと同じであり得るが、異なることもある（すなわち、異なるＵＥが、一般に、異なるデフォルトＢＷＰを有することになる）。初期ＢＷＰおよびデフォルトＢＷＰに加えて、ＵＥには、追加のＢＷＰが設定され得る。ＵＥは、最高４つのダウンリンク／アップリンクＢＷＰを有することができることが合意されている。任意の時点において、特定のＵＥのために、１つのＢＷＰのみがアクティブであることも、重要な合意である。非アクティブ化されたＢＷＰ上で、ＵＥは、物理ダウンリンク制御チャネル（ＰＤＣＣＨ）を監視せず、物理アップリンク制御チャネル（ＰＵＣＣＨ）、物理ランダムアクセスチャネル（ＰＲＡＣＨ）およびアップリンク共有チャネル（ＵＬ−ＳＣＨ）上で送信しない。
【０００４】
ＵＥには、（初期信号を除いて）無線リソース制御（ＲＲＣ）シグナリングを使用してＢＷＰが設定され、ＢＷＰ間での切替えは、ダウンリンク物理制御チャネル（ＤＰＣＣＨ）上のダウンリンク制御情報（ＤＣＩ）によって行われる。ｂｗｐ−ＩｎａｃｔｉｖｉｔｙＴｉｍｅｒが満了したとき、デフォルトＢＷＰに切り替える可能性もある。
【０００５】
設定されたＢＷＰはＲＡＣＨリソースを有し得るが、ＲＡＣＨリソースなしのＢＷＰもあり得、その場合、ＵＥは、利用可能なＲＡＣＨリソースがある別のＢＷＰ上でランダムアクセスを実施することになる。また、物理アップリンク制御チャネル（ＰＵＣＣＨ）について、ＢＷＰは、ＰＵＣＣＨが設定されることも設定されないこともある。ＰＵＣＣＨが設定されない理由は、ＰＵＣＣＨがリソースを占有することであり、これは、（特に、設定されたがアクティブでないＢＷＰにおいて）オーバーヘッドにつながることになる。ＵＥが、ＰＵＣＣＨなしのＢＷＰに移動された場合、アクティブＢＷＰ中でＰＵＣＣＨが設定されないことの帰結は、ＵＥが、ダウンリンク送信のためのスケジューリング要求（ＳＲ）またはハイブリッド自動再送要求（ＨＡＲＱ）フィードバックを送出することができないことである。ＰＵＣＣＨはまた、ＰＵＣＣＨを設定することなしに送信され得ないチャネル品質インジケータ（ＣＱＩ）のために使用される。ほぼ確実に、ネットワークは、ＰＵＣＣＨが、性能の理由のために始めから設定されなかった場合、アクティブＢＷＰ上でも、ＰＵＣＣＨをＢＷＰに再設定する必要があるであろう。
【０００６】
３ＧＰＰ文書、３ＧＰＰ  ＴＳ３８．３３１、Ｖ１５．０．０（２０１８年１月）によれば、帯域幅部分を設定するために、ＢａｎｄｗｉｄｔｈＰａｒｔ−Ｃｏｎｆｉｇ情報エレメント（ＩＥ）が使用され、これは、３ＧＰＰ  ＴＳ３８．２１１において規定されている。
【０００７】
各サービングセルについて、ネットワークは、少なくとも、ダウンリンク帯域幅部分と、１つ（サービングセルに、アップリンクが設定される場合）または２つ（補助アップリンク（ＳＵＬ：ｓｕｐｐｌｅｍｅｎｔａｒｙ  ｕｐｌｉｎｋ）を使用する場合）のアップリンク帯域幅部分とからなる、少なくとも初期帯域幅部分を設定する。さらに、ネットワークは、サービングセルについて、追加のアップリンクおよびダウンリンク帯域幅部分を設定し得る。
【０００８】
帯域幅設定は、アップリンクパラメータとダウンリンクパラメータとに、および共通パラメータと専用パラメータとに分割される。（ＵｐｌｉｎｋＢＷＰ−ＣｏｍｍｏｎおよびＤｏｗｎｌｉｎｋＢＷＰＣｏｍｍｏｎ中の）共通パラメータは「セル固有」であり、ネットワークは、他のＵＥの対応するパラメータとの必要な整合を保証する。また、ＰＣｅｌｌの初期帯域幅部分の共通パラメータは、システム情報を介して提供される。すべての他のサービングセルについて、ネットワークは、専用シグナリングを介して共通パラメータを提供する。
【０００９】
ＢａｎｄｗｉｄｔｈＰａｒｔ−ｃｏｎｆｉｇ情報エレメントのコンテンツについての１つの可能性は以下の通りである。
−−−−−−−−−−−−−−−−−−−−−−−−−−−−−−−−−−−−
2021514131.tif 000003
2021514131.tif 000004
2021514131.tif 000005
2021514131.tif 000006
【００１０】
以下の抜粋は、３ＧＰＰでのＰＷＢ動作の進行中の規格化に関し、示されているように、たとえば、初期ダウンリンクＢＷＰを含む、ＵＥのサービングセルのセル固有パラメータを設定するために使用され得る、ＳｅｒｖｉｎｇＣｅｌｌＣｏｎｆｉｇＣｏｍｍｏｎ情報エレメント、ならびに、初期ダウンリンクＢＷＰおよび／または第１のアクティブダウンリンクＢＷＰなど、いくつかのＵＥ固有パラメータを設定するために使用され得る、ＳｅｒｖｉｎｇＣｅｌｌＣｏｎｆｉｇ情報エレメントのための暫定仕様を含む。
−−−−−−−−−−−−−−−−−−−−−−−−−−−−−−−−−−−−
１．１．１．１  ＳｅｒｖｉｎｇＣｅｌｌＣｏｎｆｉｇＣｏｍｍｏｎ
ＳｅｒｖｉｎｇＣｅｌｌＣｏｎｆｉｇＣｏｍｍｏｎ  ＩＥは、ＵＥのサービングセルのセル固有パラメータを設定するために使用される。そのＩＥは、ＵＥが一般に、アイドルからセルにアクセスするときに、ＳＳＢ、ＭＩＢまたはＳＩＢから収集することになるパラメータを含んでいる。このＩＥでは、ネットワークは、ＳＣｅｌｌを伴ってまたは追加のセルグループ（ＳＣＧ）を、ＵＥに設定するときに、専用シグナリング中でこの情報を提供する。ネットワークは、同期を伴う再設定時にも、ＳｐＣｅｌｌｓ（ＭＣＧおよびＳＣＧ）についてこの情報を提供する。
ＳｅｒｖｉｎｇＣｅｌｌＣｏｎｆｉｇＣｏｍｍｏｎ情報エレメント
2021514131.tif 000007
2021514131.tif 000008
2021514131.tif 000009
2021514131.tif 000010
１．１．１．２  ＳｅｒｖｉｎｇＣｅｌｌＣｏｎｆｉｇ
ＳｅｒｖｉｎｇＣｅｌｌＣｏｎｆｉｇ  ＩＥは、ＳｐＣｅｌｌ、あるいはＭＣＧまたはＳＣＧのＳＣｅｌｌであり得る、サービングセルを伴ってＵＥを設定（追加または修正）するために使用される。本明細書のパラメータは、大部分がＵＥ固有であるが、部分的に（たとえば、追加として設定された帯域幅部分中では）セル固有でもある。
ＳｅｒｖｉｎｇＣｅｌｌＣｏｎｆｉｇ情報エレメント
2021514131.tif 000011
2021514131.tif 000012
2021514131.tif 000013
【００１１】
３ＧＰＰ  ＴＳ３８．２１１のバージョン１５．０．０および３ＧＰＰ  ＴＳ３８．３３１のバージョン１５．０．０において規定されるソリューションに関する問題は、ＵＥが、アイドル状態または非アクティブ状態のいずれかに入るたびに、ＵＥが、専用ＢＷＰ設定を廃棄することである。これは、ＵＥへのＲＲＣシグナリングを介して送出されたすべてのＢＷＰ設定が廃棄されることになることを意味する。
【発明の概要】
【００１２】
本発明の実施形態はこの問題に対処する。ＵＥが再び接続（Ｃｏｎｎｅｃｔｅｄ）状態に入るとき、ＵＥは、ネットワークにアクセスし、もう一度専用ＲＲＣ  ＢＷＰ設定を受信するために、初期ＢＷＰを使用することになる。接続からアイドル／非アクティブへのおよびアイドル／非アクティブから接続への遷移は極めて頻繁であり得るので、ＲＲＣを介して専用ＢＷＰ設定を送信することのオーバーヘッドは、かなり高くなり得る。実施形態の利点は、ＵＥが接続モードに再び入るたびに、専用ＢＷＰ設定シグナリングが回避され得ることである。
【００１３】
いくつかの実施形態によれば、前もって設定された２つ以上のＢＷＰのうちの１つ中で選択的に動作するように設定された無線デバイス（たとえば、ＵＥ）における方法であって、各ＢＷＰが、アップリンクおよび／またはダウンリンク動作のための利用可能帯域幅の異なるサブセットである、方法は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。
【００１４】
いくつかの実施形態によれば、前もって設定された２つ以上のＢＷＰのうちの１つ中で選択的に動作するように設定された無線デバイスをサーブするネットワークノードにおける方法であって、各ＢＷＰが、アップリンクおよび／またはダウンリンク動作のための利用可能帯域幅の異なるサブセットである、方法は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出することを含む。
【００１５】
いくつかの実施形態によれば、前もって設定された２つ以上のＢＷＰのうちの１つ中で選択的に動作するように設定された無線デバイスであって、各ＢＷＰが、アップリンクおよび／またはダウンリンク動作のための利用可能帯域幅の異なるサブセットである、無線デバイスは、無線通信ネットワークのネットワークノードと通信するために設定されたトランシーバ回路要素と、トランシーバ回路要素に動作可能に関連付けられた処理回路要素とを含む。処理回路要素は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定される。
【００１６】
いくつかの実施形態によれば、前もって設定された２つ以上のＢＷＰのうちの１つ中で選択的に動作するように設定された無線デバイスをサーブするように設定されたネットワークノードであって、各ＢＷＰが、アップリンクおよび／またはダウンリンク動作のための利用可能帯域幅の異なるサブセットである、ネットワークノードは、無線デバイスと通信するために設定されたトランシーバ回路要素と、トランシーバ回路要素に動作可能に関連付けられた処理回路要素とを含む。処理回路要素は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定される。
【００１７】
本発明のさらなる態様は、上記で要約された方法ならびに上記で要約された装置および無線デバイスの機能的実装形態に対応する、装置、無線デバイス、ネットワークノード、コンピュータプログラム製品またはコンピュータ可読記憶媒体を対象とする。
【００１８】
もちろん、本発明は、上記の特徴および利点に限定されない。当業者は、以下の詳細な説明を読み、添付の図面を見ると、追加の特徴および利点を認識されよう。
【図面の簡単な説明】
【００１９】
【図１】ＵＥが、アイドル／非アクティブへの遷移を行うときのＵＥ挙動を示す図である。
【図２】いくつかの実施形態による、ＵＥ挙動を示す図である。
【図３】いくつかの実施形態による、ＵＥ挙動を示す図である。
【図４】いくつかの実施形態による、ハンドオーバ事例におけるＵＥ挙動を示す図である。
【図５】いくつかの実施形態による、ネットワークノードのブロック図である。
【図６】いくつかの実施形態による、ネットワークノードにおける方法の流れ図である。
【図７】いくつかの実施形態による、無線デバイスのブロック図である。
【図８】いくつかの実施形態による、無線デバイスにおける方法の流れ図である。
【図９】いくつかの実施形態による、中間ネットワークを介してホストコンピュータに接続された通信ネットワークを概略的に示す図である。
【図１０】いくつかの実施形態による、部分的無線接続上で基地局を介してユーザ機器と通信するホストコンピュータの一般化されたブロック図である。
【図１１】ホストコンピュータと、基地局と、ユーザ機器とを含む通信システムにおいて実装される例示的な方法を示すフローチャートである。
【図１２】ホストコンピュータと、基地局と、ユーザ機器とを含む通信システムにおいて実装される例示的な方法を示すフローチャートである。
【図１３】ホストコンピュータと、基地局と、ユーザ機器とを含む通信システムにおいて実装される例示的な方法を示すフローチャートである。
【図１４】ホストコンピュータと、基地局と、ユーザ機器とを含む通信システムにおいて実装される例示的な方法を示すフローチャートである。
【図１５】いくつかの実施形態による、ネットワークノードの機能的実装形態を示すブロック図である。
【図１６】いくつかの実施形態による、無線デバイスの機能的実装形態を示すブロック図である。
【発明を実施するための形態】
【００２０】
次に、発明概念の実施形態の例が示されている添付の図面を参照しながら、本開示の例示的な実施形態が以下でより十分に説明される。しかしながら、発明概念は、多くの異なる形態で具現され得、本明細書に記載される実施形態に限定されるものとして解釈されるべきではない。むしろ、これらの実施形態は、本開示が徹底的かつ完全であり、本発明概念の範囲を当業者に十分に伝達するように提供される。これらの実施形態が相互排他的でないことにも留意されたい。一実施形態からの構成要素が、別の実施形態において存在する／使用されると暗に仮定され得る。
【００２１】
ＲＡＮ２  ＡＨ１８０１では、ＢＷＰに関する以下の合意が行われた。
−−−−−−−−−−−−−−−−−−−−−−−−−−−−−−−−−−−−
ＰＣｅｌｌおよびＰＳＣｅｌｌについての合意（ＳＣｅｌｌへの適用可能性は、オフラインでは、ＢＷＰシグナリング構造に依存する）
１  ＲＡＮ２は、アイドル／非アクティブＵＥがキャンピングするセルのＳＳＢがセル規定ＳＳＢであることを理解する。
２  アイドル／非アクティブ状態において、システム情報は、ＵＥに、初期ＤＬおよびＵＬ  ＢＷＰに対応する（他のＢＷＰに対応しない）共通設定を提供する。
ＦＦＳ  ＳＩ中で提供される初期ＢＷＰと専用シグナリング中で提供される初期ＢＷＰとが、単に仕様に対して２つのタイプとして規定されるかどうか。ステージ３の論点。
２ｉ  初期ＢＷＰの共通設定および専用設定は、ＲＲＣ接続状態において提供され得る。共通設定は、同期再設定においてのみ提供される。
２ｉｉ  他のＢＷＰは、ＲＲＣ接続においてのみ設定され得る。
３  アイドル／非アクティブＵＥは、初期ＤＬ  ＢＷＰ中で、システム情報およびページング情報を監視する。
４  アイドル／非アクティブＵＥは、初期ＵＬ／ＤＬ  ＢＷＰ中でランダムアクセスを実施する。
５  システム情報中で提供される初期ＢＷＰ設定は、同期再設定において提供されるＲＲＣ接続において提供される初期ＢＷＰ設定の共通設定と同じであるべきである。
６  アイドル状態への遷移時に、ＵＥは、すべての専用ＢＷＰ設定を解放する（したがって、ＵＥは、ＵＥがキャンピングされるセルのシステム情報からの初期ＢＷＰ設定を適用する）。
７  非アクティブ状態への遷移時に、ＵＥは、ＵＥがキャンピングされるセルのシステム情報からの初期ＢＷＰ設定を適用する。
８  ＢＷＰは、セル選択および再選択に対する、仕様の影響を有しない。セル選択および再選択はＳＳＢに基づく。
ＦＦＳ  ＵＥが非アクティブにある間、ＰＨＹレイヤ設定が保たれるかどうか。
これらの合意の下で、ＵＥが、非アクティブへの遷移を行うときに、専用ＢＷＰ設定が保たれるかどうかは明らかでない。ＵＥがアイドルに入る場合、図１に示されているように、すべての専用ＢＷＰ設定が廃棄されることは明らかである。
−−−−−−−−−−−−−−−−−−−−−−−−−−−−−−−−−−−−
【００２２】
図１は、ＵＥが、アイドル／非アクティブへの遷移を行うときのＵＥ挙動の概略図を示す。
【００２３】
以下のセクションは、非アクティブ事例のための実施形態について説明する。これらのソリューションは、ＵＥが、アイドル状態に入り、次いで、接続状態に再接続する場合にも適用され得ることに留意されたい。
【００２４】
実施形態１
第１の手法によれば、ＵＥは、非アクティブ状態に入るとき、現在の専用ＢＷＰ設定を保つ。そのようなソリューションでは、ＵＥが再び、接続モードに再び入るとき、専用ＲＲＣ  ＢＷＰ設定シグナリングの必要が減少するか、または完全に回避され得る（すなわち、図２参照）。ＵＥが非アクティブ状態に入るとき、ネットワークは、依然として、ＵＥのためのＰＨＹレイヤ設定のサブセットのためのリソースを解放することができることに留意されたい（図２中のＢＷＰ１参照）。たとえば、設定されたＰＵＣＣＨおよびチャネル状態情報参照信号（ＣＳＩ−ＲＳ）リソース、同期参照信号（ＳＲＳ）報告、またはティアダウン指示（ＴＣＩ）状態が解放され得、そのようなプロシージャのために使用されるリソースは、ＢＷＰ１中で依然としてアクティブな別のＵＥによって使用され得る。
【００２５】
図２は、初期帯域幅部分２０２と帯域幅部分１  ２０４とをもつ第１の実施形態を示す。専用ＢＷＰ設定２０６が変わった場合、ネットワークは、少なくとも、設定の変更された部分について、ＲＲＣを介して、新しい専用ＢＷＰ設定を伴ってＵＥを更新しなければならない。したがって、ＵＥは、ＵＥが非アクティブ状態２１２に入るとき、専用ＢＷＰ設定を保つまたは保持するものとし、ネットワークは、ＵＥが、非アクティブ状態２１２に入る前と同じＢＷＰ設定を有すると仮定することができる。
【００２６】
さらなる実施形態では、ネットワークは、非アクティブ状態２１２への遷移中に、ＵＥに、専用ＢＷＰ設定またはこれらの設定のサブセットを保つ２１４ようにシグナリングする。
【００２７】
また別の実施形態では、ＵＥが再び、接続モード２１６に再び入るとき、ネットワークは、新しい専用ＢＷＰ設定のみを、完全にＲＲＣを介して送信し（古い専用ＢＷＰ設定をオーバーライドする）またはデルタシグナリングによって送信し、これは、変更された設定のみをオーバーライドすることを意味する。
【００２８】
実施形態２
ソリューションのさらなる最適化は、一実施形態によれば、ＵＥが非アクティブ２１２に入るとき、ＵＥはまた、ＢＷＰ１  ２０４（以前のアクティブＢＷＰ）を監視し続け、ＢＷＰ１  ２０４からのシステム情報およびページングをリッスンし、また、ＢＷＰ１  ２０４中でランダムアクセスを行うことになる。言い換えれば、ＢＷＰ１  ２０４は、デフォルトＢＷＰおよび／または初期ＢＷＰとして使用され得る。これは、初期ＢＷＰ２０２へのおよび初期ＢＷＰ２０２からの切替えの必要を除去する、図３参照。ランダムアクセスが失敗した場合、ＵＥは、初期ＢＷＰ２０２に自動的に切り替え、専用ＢＷＰ設定を廃棄する。
【００２９】
実施形態３
考えられる問題は、ＵＥが非アクティブ２１２に入った後に、ＵＥが、ハンドオーバの場合のように、移動し、セルを変更し得ることである。通常プロシージャは、次いで、通常通り、システム情報（ＳＩ）を読み取り、初期ＢＷＰ設定を得て、初期ＢＷＰ上でランダムアクセスを行うことである。その後、ＵＥは、ＲＲＣを介して専用ＢＷＰ設定を受信することができる。
【００３０】
ハンドオーバのこの事例では、図４によって示されているように、隣接するセルのためのＢＷＰ設定は、セルプロパティがおそらく同じ（たとえば、同じ周波数、同じ能力など）であるので、同じである可能性がある。その場合、ＵＥが、ＵＥのセルを変更したときにＲＲＣを介して専用ＢＷＰ設定を送出することを回避するためのソリューションは、以下の通りである。ソースノードが、Ｘｎインターフェース４０８を介して新しいセルに専用ＢＷＰ設定を送出する。図４中の例を仮定すると、専用ＢＷＰ設定は、ＵＥ４０６が、ＵＥ４０６のセルをｇＮＢ２  ４０４に変更するとき、ソースｇＮＢ１  ４０２からターゲットｇＮＢ２  ４０４に送出される。
【００３１】
ＢＷＰ設定が、両方のセルについて同じである場合、１）ターゲットノード４０４は、このＢＷＰ設定が依然として有効であるか否かを指示する（ソースノード４０２は、次いで、ＵＥ４０６に、最新のＢＷＰ設定を保つべきか否かを指示することができる）か、または、２）ターゲットノード４０４は、ＵＥ４０６に、最新のＢＷＰ設定に保つように直接指示するかのいずれかである。
【００３２】
実施形態４
別の実施形態では、ＵＥは、条件付きで、専用ＢＷＰ設定を保つべきか否かのＲＲＣ中断（または同様のＲＲＣメッセージ）指示に基づいて、記憶された専用設定を使用し得（いくつかの場合には、ネットワークは、ＵＥに、ＢＷＰのすべて／サブセットのための設定のすべて／サブセットを保つように依頼し得）、ＳＩは、ＢＷＰ関係設定の変更を指示し、および／または、（ＵＥがキャンプオンされる）現在のセルのＳＩ情報は、ＵＥに、（ＢＷＰ関係情報に関して）それが設定されるセルのＳＩ情報とは異なる。
【００３３】
前の実施形態は、より最適化されたソリューションを示唆するが、ＵＥはまた、ＵＥがキャンプオンされるセルまたはノードが変わる場合、記憶されたＢＷＰ設定が、無効であり、解放され得ると仮定し得る。
【００３４】
一般的見解：
ＵＥには、ＲＲＣ接続セットアップ、ＲＲＣ（接続）再設定またはＲＲＣ（接続）再開または同様のメッセージによって、専用ＢＷＰ設定が設定され得る。ＲＲＣ（接続）中断または解放メッセージは、物理レイヤ設定などのＢＷＰ設定を保つべきかどうかを明示的に指示することができるか、または、暗黙的に、メッセージ自体が、物理レイヤ設定が保たれるかどうかを指示することができる。たとえば、ＲＲＣ中断メッセージが送出されたとき、ＵＥは、常に、ＢＷＰ設定を保つ。
【００３５】
実施形態は専用設定に言及するが、記憶される情報は、（追加としてまたは単独で）共通設定でもあり得、いくつかの場合には、記憶される共通設定は、ＳＩによってブロードキャストされた共通設定をオーバーライドし得る。
【００３６】
本明細書で使用される用語は、実施形態について説明するためのものであり、技術仕様または実装形態において変化するか、または異なり得る。いくつかの場合には、デフォルトＢＷＰと初期ＢＷＰとは交換され得る。ＲＡＮ１は、電力節約目的のためにデフォルトＢＷＰ（ダウンリンクのみ）を規定し、デフォルトＢＷＰが初期ダウンリンクＢＷＰとは異なり得、ＤＬデフォルトＢＷＰが同期信号ブロック（ＳＳＢ）を含んでいないことがあることに合意した。デフォルトＢＷＰはＵＥ固有であり得、異なるＵＥに、それらのＵＥのサービスおよび能力に従って、異なるデフォルトＢＷＰが設定され得る。しかしながら、初期ダウンリンク／アップリンクＢＷＰは、ＳＳＢを規定する同じセルが設定される異なるＵＥについて共通である。
【００３７】
いくつかの場合には、記憶される設定は、すべてのＢＷＰまたはＢＷＰのサブセットのためのものであり得る。記憶される設定は、デフォルトＢＷＰおよび／または初期ＢＷＰ設定を含むこともあれば含まないこともある。様々な実施形態が、ダウンリンクのみにおいて、アップリンクのみにおいて、または両方において適用され得る。
【００３８】
非アクティブ状態に入ると、専用ＢＷＰ設定は保たれ、ＵＥが接続モードに再び入るとき、ＵＥは、ネットワークからいかなる専用ＢＷＰ設定も送信されないが、その専用ＢＷＰ設定を再適用する。
【００３９】
さらなる実施形態では、ネットワークは、ＵＥに、非アクティブ状態への遷移中に、専用ＢＷＰ設定を保つようにシグナリングする。
【００４０】
また別の実施形態では、ＵＥが再び、接続モードに再び入るとき、ネットワークは、新しい専用ＢＷＰ設定の一部を、ＲＲＣを介して送信する（古いＢＷＰ設定を部分的にオーバーライドする）。
【００４１】
また別の実施形態では、ＵＥが非アクティブ状態に入るとき、ＵＥはまた、ＢＷＰ１を監視し続け、（初期ＢＷＰでない）アクティブＢＷＰからのシステム情報およびページングをリッスンすることになり、ＵＥが接続モードに再び入るとき、ＵＥは、専用ＢＷＰ中でランダムアクセスを行うことを試みることになる。
【００４２】
図５は、基地局など、ネットワークノード３０を示し、ネットワークノード３０は、これらの開示された技法のうちの１つまたは複数を行うように設定され得る。基地局は、エボルブドノードＢ（ｅノードＢ）、ノードＢまたはｇＮＢであり得る。これらの動作は、他の種類のネットワークノードまたはリレーノードによって実施され得る。以下で説明される非限定的な実施形態では、ネットワークノード３０は、ＬＴＥネットワークまたはＮＲネットワークにおいてセルラーネットワークアクセスノードとして動作するように設定されるものとして説明される。
【００４３】
当業者は、各タイプのノードが、たとえば、処理回路３２による実行のための適切なプログラム命令の修正および／または追加を通して、どのように、本明細書で説明される方法およびシグナリングプロセスのうちの１つまたは複数を行うように適応され得るかを容易に諒解するであろう。
【００４４】
ネットワークノード３０は、無線端末、他のネットワークアクセスノードおよび／またはコアネットワークの間の通信を容易にする。ネットワークノード３０は、データおよび／またはセルラー通信サービスを提供するために、コアネットワーク中の他のノード、ネットワーク中の無線ノードおよび／または他のタイプのノードと通信するための回路要素を含む、通信インターフェース回路要素３８を含み得る。ネットワークノード３０は、アンテナ３４およびトランシーバ回路要素３６を使用して、無線デバイスと通信する。トランシーバ回路要素３６は、送信機回路と、受信機回路と、関連付けられた制御回路とを含み得、それらはまとめて、セルラー通信サービスを提供するために、無線アクセス技術に従って信号を送信および受信するように設定される。
【００４５】
ネットワークノード３０は、トランシーバ回路要素３６、およびいくつかの場合には、通信インターフェース回路要素３８に動作可能に関連付けられた、１つまたは複数の処理回路３２をも含む。処理回路要素３２は、１つまたは複数のデジタルプロセッサ４２、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の混合を備える。より一般的には、処理回路要素３２は、固定回路要素またはプログラマブル回路要素を備え得、プログラマブル回路要素は、本明細書で教示される機能性を実装するプログラム命令の実行を介して特別に設定されるか、または固定およびプログラムされた回路要素の何らかの混合を備え得る。プロセッサ４２は、マルチコアであり、すなわち、向上した性能、低減された電力消費、および複数のタスクのより効率的な同時処理のために利用される２つまたはそれ以上のプロセッサコアを有し得る。
【００４６】
処理回路要素３２はメモリ４４をも含む。メモリ４４は、いくつかの実施形態では、１つまたは複数のコンピュータプログラム４６および、随意に、設定データ４８を記憶する。メモリ４４は、コンピュータプログラム４６のための非一時的ストレージを提供し、非一時的ストレージは、ディスクストレージ、固体メモリストレージ、またはそれらの任意の混合など、１つまたは複数のタイプのコンピュータ可読媒体を備え得る。ここで、「非一時的」は、永続的、半永続的、または少なくとも一時的に永続的なストレージを意味し、不揮発性メモリ中の長期ストレージと、たとえば、プログラム実行のためのワーキングメモリ中のストレージとの両方を包含する。非限定的な例として、メモリ４４は、処理回路要素３２中にあり、および／または処理回路要素３２とは別個であり得る、ＳＲＡＭ、ＤＲＡＭ、ＥＥＰＲＯＭ、およびＦＬＡＳＨメモリのうちの任意の１つまたは複数を備える。メモリ４４は、ネットワークアクセスノード３０によって使用される任意の設定データ４８をも記憶し得る。処理回路要素３２は、たとえば、メモリ４４に記憶された適切なプログラムコードの使用を通して、以下で詳述される方法および／またはシグナリングプロセスのうちの１つまたは複数を行うように設定され得る。
【００４７】
ネットワークノード３０の処理回路要素３２は、いくつかの実施形態によれば、前もって設定された２つ以上のＢＷＰのうちの１つ中で選択的に動作するように設定された無線デバイスであって、各ＢＷＰが、アップリンクおよび／またはダウンリンク動作のための利用可能帯域幅の異なるサブセットである、無線デバイスをサーブするように設定される。ネットワークノード３０の処理回路要素３２は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定される。
【００４８】
ネットワークノード３０の処理回路要素３２は、図６に示されているような、対応する方法６００を実施するようにも設定され得る。方法６００は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出すること（ブロック６０２）を含む。送出することは、無線デバイスを非アクティブＲＲＣ状態に遷移させることとともに実施され得る。送出することは、ブロードキャストされたＳＩを介したものであり得る。
【００４９】
方法６００は、保持するようにとの指示を前記送出することの後に、無線デバイスに、前記切り替えることの直前に無線デバイスによって使用中のＢＷＰに対応する物理レイヤ設定に対する１つまたは複数の更新を送出することをさらに含み得る。
【００５０】
図７は、いくつかの実施形態による、無線デバイス５０として示されている無線デバイスの図を示す。無線デバイス５０は、セルラーネットワーク中のＵＥなど、ネットワークにおいて動作し得る任意の無線端末を表すと見なされ得る。他の例は、通信デバイス、ターゲットデバイス、デバイスツーデバイス（Ｄ２Ｄ）ＵＥ、マシン型ＵＥまたはマシンツーマシン（Ｍ２Ｍ：ｍａｃｈｉｎｅ  ｔｏ  ｍａｃｈｉｎｅ  ｃｏｍｍｕｎｉｃａｔｉｏｎ）通信が可能なＵＥ、ＵＥを装備したセンサー、ＰＤＡ（携帯情報端末）、タブレット、モバイル端末、スマートフォン、ラップトップ埋込み機器（ＬＥＥ）、ラップトップ搭載機器（ＬＭＥ）、ＵＳＢドングル、顧客構内機器（ＣＰＥ）などを含み得る。
【００５１】
無線デバイス５０は、アンテナ５４およびトランシーバ回路要素５６を介して、ワイドエリアセルラーネットワーク中の無線ネットワークノードまたは基地局と通信するように設定される。トランシーバ回路要素５６は、送信機回路と、受信機回路と、関連付けられた制御回路とを含み得、それらはまとめて、セルラー通信サービスを使用するために、無線アクセス技術に従って信号を送信および受信するように設定される。この説明の目的で、この無線アクセス技術は、ＮＲおよびＬＴＥである。
【００５２】
無線デバイス５０はまた、無線トランシーバ回路要素５６に動作可能に関連付けられた１つまたは複数の処理回路５２を含む。処理回路要素５２は、１つまたは複数のデジタル処理回路、たとえば、１つまたは複数のマイクロプロセッサ、マイクロコントローラ、ＤＳＰ、ＦＰＧＡ、ＣＰＬＤ、ＡＳＩＣ、またはそれらの任意の混合を備える。より一般的には、処理回路要素５２は、固定回路要素またはプログラマブル回路要素を備え得、プログラマブル回路要素は、本明細書で教示される機能性を実装するプログラム命令の実行を介して特別に適応されるか、または固定およびプログラムされた回路要素の何らかの混合を備え得る。処理回路要素５２はマルチコアであり得る。
【００５３】
処理回路要素５２はメモリ６４をも含む。メモリ６４は、いくつかの実施形態では、１つまたは複数のコンピュータプログラム６６および、随意に、設定データ６８を記憶する。メモリ６４は、コンピュータプログラム６６のための非一時的ストレージを提供し、非一時的ストレージは、ディスクストレージ、固体メモリストレージ、またはそれらの任意の混合など、１つまたは複数のタイプのコンピュータ可読媒体を備え得る。非限定的な例として、メモリ６４は、処理回路要素５２中にあり、および／または処理回路要素５２とは別個であり得る、ＳＲＡＭ、ＤＲＡＭ、ＥＥＰＲＯＭ、およびＦＬＡＳＨメモリのうちの任意の１つまたは複数を備える。メモリ６４は、無線デバイス５０によって使用される任意の設定データ６８をも記憶し得る。処理回路要素５２は、たとえば、メモリ６４に記憶された適切なプログラムコードの使用を通して、以下で詳述される方法および／またはシグナリングプロセスのうちの１つまたは複数を行うように設定され得る。
【００５４】
無線デバイス５０の処理回路要素５２は、いくつかの実施形態によれば、前もって設定された２つ以上のＢＷＰのうちの１つ中で選択的に動作するように設定され、ここで、各ＢＷＰが、アップリンクおよび／またはダウンリンク動作のための利用可能帯域幅の異なるサブセットである。処理回路要素５２は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定される。
【００５５】
いくつかの実施形態によれば、処理回路要素５２は、図８に示されている、無線デバイス５０のための対応する方法８００を実施するように設定される。たとえば、方法８００は、アクティブＲＲＣ状態から非アクティブＲＲＣ状態に切り替えること（ブロック８０２）と、前記切り替えることの後に、前記切り替えることの直前にアクティブなＢＷＰに対応する物理レイヤ設定を保持すること（ブロック８０４）とを含む。
【００５６】
物理レイヤ設定は、前もって設定された２つ以上のＢＷＰのうちの、前記切り替えることの直前にアクティブなＢＷＰに一意に対応する専用物理レイヤ設定であり得る。保持することは、前記切り替えることの直前にアクティブなＢＷＰを含む、前もって設定された２つ以上のＢＷＰの各々のための専用物理レイヤ設定を保持することを含み得る。
【００５７】
いくつかの実施形態では、物理レイヤ設定は、前記切り替えることの直前にアクティブなＢＷＰを含む、前もって設定された２つ以上のＢＷＰに対応する共通物理レイヤ設定である。
【００５８】
方法８００は、後でアクティブＲＲＣ状態に復帰したときに、前記切り替えることの直前にアクティブなＢＷＰに対応する物理レイヤ設定を使用することを含み得る。方法８００は、前記切り替えることの後に、非アクティブＲＲＣ状態にある間に、前記切り替えることの直前にアクティブなＢＷＰに対応する物理レイヤ設定を使用してシステム情報および／またはページングを監視することをも含み得る。方法８００は、次いで、非アクティブＲＲＣ状態にある間に、前記切り替えることの直前にアクティブなＢＷＰに対応する物理レイヤ設定をランダムアクセス試行を行うために使用することを含み得る。方法８００は、ランダムアクセス試行の失敗時に、前記切り替えることの直前にアクティブなＢＷＰに対応する保持された物理レイヤ設定を廃棄し、後続のランダムアクセス試行のために初期ＢＷＰに戻ることをさらに含み得る。
【００５９】
いくつかの実施形態では、前記切り替えることの直前にアクティブなＢＷＰに対応する物理レイヤ設定の使用のいずれかが、非アクティブ状態にある間に、前記切り替えることの直前にアクティブなＢＷＰのための専用物理レイヤ設定の変更を指示するシステム情報（ＳＩ）を受信しなかったことを条件とする。
【００６０】
いくつかの場合には、保持することは、無線ネットワークノードから、ＢＷＰに対応する物理レイヤ設定を保つようにとの指示を受信したことに応答するものであり得る。無線デバイスは、非アクティブＲＲＣ状態にある間に、セルを、ソースセルからターゲットセルに変更し得、指示は、ターゲットセルを動作させるネットワークノードから受信される。他の場合には、無線デバイスは、非アクティブＲＲＣ状態にある間に、セルを、ソースセルからターゲットセルに変更し得、指示は、ソースセルを動作させるネットワークノードから受信される。指示は、ＲＲＣ中断メッセージ中で受信され得る。
【００６１】
前記切り替えることの直前にアクティブなＢＷＰに対応する物理レイヤ設定は、チャネル状態情報（ＣＳＩ）報告と、干渉測定報告と、サウンディング参照信号（ＳＲＳ）設定とのうちのいずれか１つまたは複数に関係するパラメータを含み得る。
【００６２】
図９は、いくつかの実施形態による、無線アクセスネットワークなどのアクセスネットワーク９１１とコアネットワーク９１４とを備える、３ＧＰＰタイプセルラーネットワークなどの通信ネットワーク９１０を含む通信システムを示す。アクセスネットワーク９１１は、ＮＢ、ｅＮＢ、ｇＮＢまたは他のタイプの無線アクセスポイントなど、複数の基地局９１２ａ、９１２ｂ、９１２ｃを備え、各々、対応するカバレッジエリア９１３ａ、９１３ｂ、９１３ｃを規定する。各基地局９１２ａ、９１２ｂ、９１２ｃは、有線接続または無線接続９１５を介してコアネットワーク９１４に接続可能である。カバレッジエリア９１３ｃ中に位置する第１のＵＥ９９１が、対応する基地局９１２ｃに無線で接続するか、または対応する基地局９１２ｃによってページングされるように設定される。カバレッジエリア９１３ａ中の第２のＵＥ９９２が、対応する基地局９１２ａに無線で接続可能である。この例では複数のＵＥ９９１、９９２が示されているが、開示される実施形態は、唯一のＵＥがカバレッジエリア中にある状況、または唯一のＵＥが対応する基地局９１２に接続している状況に等しく適用可能である。
【００６３】
通信ネットワーク９１０は、それ自体、ホストコンピュータ９３０に接続され、ホストコンピュータ９３０は、スタンドアロンサーバ、クラウド実装サーバ、分散型サーバのハードウェアおよび／またはソフトウェアで、あるいはサーバファーム中の処理リソースとして具現され得る。ホストコンピュータ９３０は、サービスプロバイダの所有または制御下にあり得、あるいはサービスプロバイダによってまたはサービスプロバイダに代わって動作され得る。通信ネットワーク９１０とホストコンピュータ９３０との間の接続９２１、９２２は、コアネットワーク９１４からホストコンピュータ９３０に直接延びるか、または随意の中間ネットワーク９２０を介して進み得る。中間ネットワーク９２０は、パブリックネットワーク、プライベートネットワーク、またはホストされたネットワークのうちの１つ、またはそれらのうちの２つ以上の組合せであり得、中間ネットワーク９２０は、もしあれば、バックボーンネットワークまたはインターネットであり得、特に、中間ネットワーク９２０は、２つまたはそれ以上のサブネットワーク（図示せず）を備え得る。
【００６４】
図９の通信システムは全体として、接続されたＵＥ９９１、９９２のうちの１つとホストコンピュータ９３０との間のコネクティビティを可能にする。コネクティビティは、オーバーザトップ（ＯＴＴ）接続９５０として説明され得る。ホストコンピュータ９３０および接続されたＵＥ９９１、９９２は、アクセスネットワーク９１１、コアネットワーク９１４、任意の中間ネットワーク９２０および考えられるさらなるインフラストラクチャ（図示せず）を媒介として使用して、ＯＴＴ接続９５０を介して、データおよび／またはシグナリングを通信するように設定される。ＯＴＴ接続９５０は、ＯＴＴ接続９５０が通過する、参加する通信デバイスが、アップリンクおよびダウンリンク通信のルーティングに気づいていないという点で、透過的であり得る。たとえば、基地局９１２は、接続されたＵＥ９９１にフォワーディング（たとえば、ハンドオーバ）されるべき、ホストコンピュータ９３０から発生したデータを伴う着信ダウンリンク通信の過去のルーティングについて、通知されないことがあり、または通知される必要がない。同様に、基地局９１２は、ＵＥ９９１から発生してホストコンピュータ９３０に向かう発信アップリンク通信の将来ルーティングに気づいている必要がない。
【００６５】
次に、一実施形態による、前の段落において説明されたＵＥ、基地局およびホストコンピュータの例示的な実装形態が、図１０を参照しながら説明される。通信システム１０００では、ホストコンピュータ１０１０は、通信システム１０００の異なる通信デバイスのインターフェースとの有線接続または無線接続をセットアップおよび維持するように設定された通信インターフェース１０１６を含む、ハードウェア１０１５を備える。ホストコンピュータ１０１０は、記憶能力および／または処理能力を有し得る、処理回路要素１０１８をさらに備える。特に、処理回路要素１０１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１０１０は、ホストコンピュータ１０１０に記憶されるかまたはホストコンピュータ１０１０によってアクセス可能であり、処理回路要素１０１８によって実行可能である、ソフトウェア１０１１をさらに備える。ソフトウェア１０１１は、ホストアプリケーション１０１２を含む。ホストアプリケーション１０１２は、ＵＥ１０３０およびホストコンピュータ１０１０において終端するＯＴＴ接続１０５０を介して接続するＵＥ１０３０など、リモートユーザにサービスを提供するように動作可能であり得る。リモートユーザにサービスを提供する際に、ホストアプリケーション１０１２は、ＯＴＴ接続１０５０を使用して送信されるユーザデータを提供し得る。
【００６６】
通信システム１０００は、通信システム中に提供される基地局１０２０をさらに含み、基地局１０２０は、基地局１０２０がホストコンピュータ１０１０およびＵＥ１０３０と通信することを可能にするハードウェア１０２５を備える。ハードウェア１０２５は、通信システム１０００の異なる通信デバイスのインターフェースとの有線接続または無線接続をセットアップおよび維持するための通信インターフェース１０２６、ならびに基地局１０２０によってサーブされるカバレッジエリア（図１０に図示せず）中に位置するＵＥ１０３０との少なくとも無線接続１０７０をセットアップおよび維持するための無線インターフェース１０２７を含み得る。通信インターフェース１０２６は、ホストコンピュータ１０１０への接続１０６０を容易にするように設定され得る。接続１０６０は直接であり得るか、あるいは接続１０６０は、通信システムのコアネットワーク（図１０に図示せず）を、および／または通信システムの外側の１つまたは複数の中間ネットワークを通過し得る。図示の実施形態では、基地局１０２０のハードウェア１０２５は、処理回路要素１０２８をさらに含み、処理回路要素１０２８は、命令を実行するように適応された、１つまたは複数のプログラマブルプロセッサ、特定用途向け集積回路、フィールドプログラマブルゲートアレイ、またはこれらの組合せ（図示せず）を備え得る。基地局１０２０は、内部的に記憶されるかまたは外部接続を介してアクセス可能なソフトウェア１０２１をさらに有する。
【００６７】
通信システム１０００は、すでに言及されたＵＥ１０３０をさらに含む。ＵＥ１０３０のハードウェア１０３５は、ＵＥ１０３０が現在位置するカバレッジエリアをサーブする基地局との無線接続１０７０をセットアップおよび維持するように設定された、無線インターフェース１０３７を含み得る。ＵＥ１０３０のハードウェア１０３５は、処理回路要素１０３８をさらに含み、処理回路要素１０３８は、命令を実行するように適応された、１つまたは複数のプログラマブルプロセッサ、特定用途向け集積回路、フィールドプログラマブルゲートアレイ、またはこれらの組合せ（図示せず）を備え得る。ＵＥ１０３０はソフトウェア１０３１をさらに備え、ソフトウェア１０３１は、ＵＥ１０３０に記憶されるかまたはＵＥ１０３０によってアクセス可能であり、処理回路要素１０３８によって実行可能である。ソフトウェア１０３１は、クライアントアプリケーション１０３２を含む。クライアントアプリケーション１０３２は、ホストコンピュータ１０１０のサポートを伴って、ＵＥ１０３０を介して人間のまたは人間でないユーザにサービスを提供するように動作可能であり得る。ホストコンピュータ１０１０では、実行しているホストアプリケーション１０１２は、ＵＥ１０３０およびホストコンピュータ１０１０において終端するＯＴＴ接続１０５０を介して、実行しているクライアントアプリケーション１０３２と通信し得る。ユーザにサービスを提供する際に、クライアントアプリケーション１０３２は、ホストアプリケーション１０１２から要求データを受信し、要求データに応答してユーザデータを提供し得る。ＯＴＴ接続１０５０は、要求データとユーザデータの両方を転送し得る。クライアントアプリケーション１０３２は、クライアントアプリケーション１０３２が提供するユーザデータを生成するためにユーザと対話し得る。
【００６８】
図１０に示されているホストコンピュータ１０１０、基地局１０２０およびＵＥ１０３０は、それぞれ、図９のホストコンピュータ９３０、基地局９１２ａ、９１２ｂ、９１２ｃのうちの１つ、およびＵＥ９９１、９９２のうちの１つと同等であり得ることに留意されたい。つまり、これらのエンティティの内部の働きは、図１０に示されているようなものであり得、別個に、周囲のネットワークトポロジーは、図９のものであり得る。
【００６９】
図１０では、ＯＴＴ接続１０５０は、中間デバイスとこれらのデバイスを介したメッセージの正確なルーティングとへの明示的言及なしに、基地局１０２０を介したホストコンピュータ１０１０とユーザ機器１０３０との間の通信を示すために、抽象的に描かれている。ネットワークインフラストラクチャが、ルーティングを決定し得、ネットワークインフラストラクチャは、ＵＥ１０３０からまたはホストコンピュータ１０１０を動作させるサービスプロバイダから、またはその両方からルーティングを隠すように設定され得る。ＯＴＴ接続１０５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【００７０】
ＵＥ１０３０と基地局１０２０との間の無線接続１０７０は、対応する方法６００および８００とともに、無線デバイス５０およびネットワークノード３０などのノードによって提供されるものなど、本開示全体にわたって説明される実施形態の教示によるものである。問題は、ＵＥが、アイドル状態または非アクティブ状態のいずれかに入るたびに、ＵＥが、専用ＢＷＰ設定を廃棄することである。これは、ＵＥへのＲＲＣシグナリングを介して送出されたすべてのＢＷＰ設定が廃棄されることになることを意味する。実施形態の利点は、ＵＥが接続モードに再び入るたびに、専用ＢＷＰ設定シグナリングが回避され得ることである。これは、ＯＴＴ接続１０５０を使用して、ＵＥ遷移時間、ならびにネットワークおよびＵＥ１０３０のためのデータレート、容量、レイテンシおよび／または電力消費を改善し、それにより、低減されたユーザ待ち時間、より多くの容量、より良い応答性、およびより良いデバイスバッテリー時間などの利益を提供する。
【００７１】
１つまたは複数の実施形態が改善する、データレート、レイテンシおよび他のファクタを監視する目的での、測定プロシージャが提供され得る。測定結果の変動に応答して、ホストコンピュータ１０１０とＵＥ１０３０との間のＯＴＴ接続１０５０を再設定するための随意のネットワーク機能性がさらにあり得る。測定プロシージャおよび／またはＯＴＴ接続１０５０を再設定するためのネットワーク機能性は、ホストコンピュータ１０１０のソフトウェア１０１１においてまたはＵＥ１０３０のソフトウェア１０３１において、またはその両方において実装され得る。実施形態では、ＯＴＴ接続１０５０が通過する通信デバイスにおいてまたはそれに関連して、センサー（図示せず）が展開され得、センサーは、上記で例示された監視された量の値を供給すること、またはソフトウェア１０１１、１０３１が監視された量を算出または推定し得る他の物理量の値を供給することによって、測定プロシージャに参加し得る。ＯＴＴ接続１０５０の再設定は、メッセージフォーマット、再送信セッティング、好ましいルーティングなどを含み得、再設定は、基地局１０２０に影響を及ぼす必要がなく、再設定は、基地局１０２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１０１０の測定を容易にするプロプライエタリＵＥシグナリングを伴い得る。測定は、ソフトウェア１０１１、１０３１が、ソフトウェア１０１１、１０３１が伝搬時間、エラーなどを監視する間にＯＴＴ接続１０５０を使用して、メッセージ、特に空のまたは「ダミー」メッセージが送信されることを引き起こすことにおいて、実装され得る。
【００７２】
図１１は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１１への図面参照のみがこのセクションに含まれる。方法の第１のステップ１１１０において、ホストコンピュータはユーザデータを提供する。第１のステップ１１１０の随意のサブステップ１１１１において、ホストコンピュータは、ホストアプリケーションを実行することによって、ユーザデータを提供する。第２のステップ１１２０において、ホストコンピュータは、ＵＥにユーザデータを搬送する送信を始動する。随意の第３のステップ１１３０において、基地局は、本開示全体にわたって説明される実施形態の教示に従って、ホストコンピュータが始動した送信において搬送されたユーザデータをＵＥに送信する。随意の第４のステップ１１４０において、ＵＥは、ホストコンピュータによって実行されたホストアプリケーションに関連付けられたクライアントアプリケーションを実行する。
【００７３】
図１２は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１２への図面参照のみがこのセクションに含まれる。方法の第１のステップ１２１０において、ホストコンピュータはユーザデータを提供する。随意のサブステップ（図示せず）において、ホストコンピュータは、ホストアプリケーションを実行することによって、ユーザデータを提供する。第２のステップ１２２０において、ホストコンピュータは、ＵＥにユーザデータを搬送する送信を始動する。送信は、本開示全体にわたって説明される実施形態の教示に従って、基地局を介して進み得る。随意の第３のステップ１２３０において、ＵＥは、送信において搬送されたユーザデータを受信する。
【００７４】
図１３は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１３への図面参照のみがこのセクションに含まれる。方法の随意の第１のステップ１３１０において、ＵＥは、ホストコンピュータによって提供された入力データを受信する。追加または代替として、随意の第２のステップ１３２０において、ＵＥはユーザデータを提供する。第２のステップ１３２０の随意のサブステップ１３２１において、ＵＥは、クライアントアプリケーションを実行することによって、ユーザデータを提供する。第１のステップ１３１０のさらなる随意のサブステップ１３１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、随意の第３のサブステップ１３３０において、ホストコンピュータへのユーザデータの送信を始動する。方法の第４のステップ１３４０において、ホストコンピュータは、本開示全体にわたって説明される実施形態の教示に従って、ＵＥから送信されたユーザデータを受信する。
【００７５】
図１４は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１４への図面参照のみがこのセクションに含まれる。方法の随意の第１のステップ１４１０において、本開示全体にわたって説明される実施形態の教示に従って、基地局は、ＵＥからユーザデータを受信する。随意の第２のステップ１４２０において、基地局は、ホストコンピュータへの、受信されたユーザデータの送信を始動する。第３のステップ１４３０において、ホストコンピュータは、基地局によって始動された送信において搬送されたユーザデータを受信する。
【００７６】
いくつかの実施形態によれば、ホストコンピュータを含む通信システムは、ユーザデータを提供するように設定された処理回路要素と、前もって設定された２つ以上のＢＷＰのうちの１つ中で選択的に動作するように設定されたＵＥへの送信のためにユーザデータをセルラーネットワークにフォワーディングするように設定された通信インターフェースであって、各ＢＷＰが、アップリンクおよび／またはダウンリンク動作のための利用可能帯域幅の異なるサブセットである、通信インターフェースとを備える。セルラーネットワークは、ＵＥをサーブするように設定された基地局であって、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定された基地局を備える。通信システムは、基地局および／またはＵＥを備え得、ここで、ＵＥは、基地局と通信するように設定される。ホストコンピュータの処理回路要素は、ホストアプリケーションを実行し、それによりユーザデータを提供するように設定され得、ＵＥは、ホストアプリケーションに関連付けられたクライアントアプリケーションを実行するように設定された処理回路要素を備え得る。
【００７７】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、ユーザデータを提供することと、ＵＥをサーブするように設定された基地局を備えるセルラーネットワークを介してＵＥにユーザデータを搬送する送信を始動することとを含み、ここで、基地局における方法が、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出することを含む。方法は、基地局において、ユーザデータを送信することを含み得る。ユーザデータは、ホストアプリケーションを実行することによってホストコンピュータにおいて提供され得、方法は、ＵＥにおいて、ホストアプリケーションに関連付けられたクライアントアプリケーションを実行することをさらに含む。
【００７８】
いくつかの実施形態によれば、ホストコンピュータを含む通信システムは、ユーザデータを提供するように設定された処理回路要素と、前もって設定された２つ以上のＢＷＰのうちの１つ中で選択的に動作するように設定されたＵＥへの送信のためにユーザデータをセルラーネットワークにフォワーディングするように設定された通信インターフェースであって、各ＢＷＰが、アップリンクおよび／またはダウンリンク動作のための利用可能帯域幅の異なるサブセットである、通信インターフェースとを備え、ここで、ＵＥは、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定された、無線インターフェースと処理回路要素とを備える。通信システムはＵＥをさらに含み得、セルラーネットワークは、ＵＥと通信するように設定された基地局をさらに含み得る。ホストコンピュータの処理回路要素は、ホストアプリケーションを実行し、それによりユーザデータを提供するように設定され得、ＵＥの処理回路要素は、ホストアプリケーションに関連付けられたクライアントアプリケーションを実行するように設定され得る。
【００７９】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、ユーザデータを提供することと、基地局を備えるセルラーネットワークを介してＵＥにユーザデータを搬送する送信を始動することとを含む。方法は、ＵＥにおいて、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、ＵＥにおいて、基地局からユーザデータを受信することをさらに含み得る。
【００８０】
いくつかの実施形態によれば、ホストコンピュータを含む通信システムは、ＵＥから基地局への送信から発生したユーザデータを受信するように設定された通信インターフェースであって、ＵＥが、前もって設定された２つ以上のＢＷＰのうちの１つ中で選択的に動作するように設定され、各ＢＷＰが、アップリンクおよび／またはダウンリンク動作のための利用可能帯域幅の異なるサブセットである、通信インターフェースを備える。ＵＥの処理回路要素は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定される。通信システムは、ＵＥをさらに含み得る。通信システムは、基地局をさらに含み得、ここで、基地局は、ＵＥと通信するように設定された無線インターフェースと、ＵＥから基地局への送信によって搬送されたユーザデータをホストコンピュータにフォワーディングするように設定された通信インターフェースとを備える。ホストコンピュータの処理回路要素は、ホストアプリケーションを実行するように設定され得、ＵＥの処理回路要素は、ホストアプリケーションに関連付けられたクライアントアプリケーションを実行し、それによりユーザデータを提供するように設定され得る。ホストコンピュータの処理回路要素は、ホストアプリケーションを実行し、それにより要求データを提供するように設定され得、ＵＥの処理回路要素は、ホストアプリケーションに関連付けられたクライアントアプリケーションを実行し、それにより要求データに応答してユーザデータを提供するように設定され得る。
【００８１】
いくつかの実施形態によれば、前もって設定された２つ以上のＢＷＰのうちの１つ中で選択的に動作するように設定されたＵＥにおける方法であって、各ＢＷＰが、アップリンクおよび／またはダウンリンク動作のための利用可能帯域幅の異なるサブセットである、方法は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、ユーザデータを提供することと、基地局への送信を介してホストコンピュータにユーザデータをフォワーディングすることとをさらに含み得る。
【００８２】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、ＵＥから基地局に送信されたユーザデータを受信することを含む。方法は、ＵＥにおいて、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、ＵＥにおいて、基地局にユーザデータを提供することをさらに含み得る。方法は、ＵＥにおいて、クライアントアプリケーションを実行し、それにより、送信されるべきユーザデータを提供することと、ホストコンピュータにおいて、クライアントアプリケーションに関連付けられたホストアプリケーションを実行することとをさらに含み得る。方法は、ＵＥにおいて、クライアントアプリケーションを実行することと、ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することとをさらに含み得る。送信されるべきユーザデータは、入力データに応答してクライアントアプリケーションによって提供される。
【００８３】
いくつかの実施形態によれば、通信システムは、ＵＥから基地局への送信から発生したユーザデータを受信するように設定された通信インターフェースを備えるホストコンピュータであって、ＵＥが、前もって設定された２つ以上のＢＷＰのうちの１つ中で選択的に動作するように設定され、各ＢＷＰが、アップリンクおよび／またはダウンリンク動作のための利用可能帯域幅の異なるサブセットである、ホストコンピュータを含む。基地局は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定された、無線インターフェースと処理回路要素とを備える。通信システムは基地局をさらに含み得る。通信システムはＵＥをさらに含み得、ここで、ＵＥは、基地局と通信するように設定される。ホストコンピュータの処理回路要素は、ホストアプリケーションを実行するように設定され得る。ＵＥは、ホストアプリケーションに関連付けられたクライアントアプリケーションを実行し、それにより、ホストコンピュータによって受信されるべきユーザデータを提供するように設定され得る。
【００８４】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、基地局がＵＥから受信した送信から発生したユーザデータを基地局から受信することを含む。ＵＥにおける方法は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、基地局において、ＵＥからユーザデータを受信することをさらに含み得る。方法は、基地局において、ホストコンピュータへの、受信されたユーザデータの送信を始動することをさらに含み得る。
【００８５】
上記で詳細に説明されたように、本明細書で説明される技法は、たとえば、図６および図８のプロセスフロー図に示されているように、全体的にまたは部分的に、１つまたは複数のプロセッサによって実行されるコンピュータプログラム命令を使用して実装され得る。これらの技法の機能的実装形態が、機能モジュールに関して表され得、ここで、各機能モジュールが、適切なプロセッサ中で実行するソフトウェアの機能ユニットに、または機能的デジタルハードウェア回路に、またはその両方の何らかの組合せに対応することが諒解されよう。
【００８６】
図１５は、ネットワークノード３０において実装され得るような、例示的な機能モジュールまたは回路アーキテクチャを示す。機能的実装形態は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するための送出モジュール１５０２を含む。
【００８７】
図１６は、無線デバイス５０において実装され得るような、例示的な機能モジュールまたは回路アーキテクチャを示す。実装形態は、アクティブＲＲＣ状態から非アクティブＲＲＣ状態に切り替えるための切替えモジュール１６０２を含む。実装形態は、前記切り替えることの後に、前記切り替えることの直前にアクティブなＢＷＰに対応する物理レイヤ設定を保持するための保持モジュール１６０４をも含む。
【００８８】
本発明概念の原理から実質的に逸脱することなしに、実施形態に対して多くの変形および修正が行われ得る。すべてのそのような変形および修正は、本発明概念の範囲内で本明細書に含まれるものとする。したがって、上記で開示された主題は、例示であり、限定するものではないと見なされるべきであり、実施形態の例は、本発明概念の趣旨および範囲内に入る、すべてのそのような修正、拡張、および他の実施形態をカバーするものとする。したがって、法によって最大限に許容される限りにおいて、本発明概念の範囲は、実施形態およびそれらの等価物の例を含む、本開示の最も広い許容可能な解釈によって決定されるべきであり、上記の詳細な説明によって制限または限定されるべきでない。
【図１】
2021514131.tif 000014
【図２】
2021514131.tif 000015
【図３】
2021514131.tif 000016
【図４】
2021514131.tif 000017
【図５】
2021514131.tif 000018
【図６】
2021514131.tif 000019
【図７】
2021514131.tif 000020
【図８】
2021514131.tif 000021
【図９】
2021514131.tif 000022
【図１０】
2021514131.tif 000023
【図１１】
2021514131.tif 000024
【図１２】
2021514131.tif 000025
【図１３】
2021514131.tif 000026
【図１４】
2021514131.tif 000027
【図１５】
2021514131.tif 000028
【図１６】
2021514131.tif 000029
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
前もって設定された２つ以上の帯域幅部分（ＢＷＰ）のうちの１つ中で選択的に動作するように設定された無線デバイス（５０）における方法（８００）であって、各ＢＷＰが、アップリンクおよび／またはダウンリンク動作のための利用可能帯域幅の異なるサブセットであり、前記方法（８００）が、
無線ネットワークノードから、前記ＢＷＰに対応する物理レイヤ設定を保つようにとの指示を受信することと、
アクティブ無線リソース制御（ＲＲＣ）状態から非アクティブＲＲＣ状態に切り替えること（８０２）と、
前記切り替えること（８０２）の後に、および指示を前記受信したことに応答して、前記切り替えること（８０２）の直前にアクティブな前記ＢＷＰに対応する前記物理レイヤ設定を保持すること（８０４）と
を含む、方法（８００）。
【請求項２】
前記物理レイヤ設定が、前記前もって設定された２つ以上のＢＷＰのうちの、前記切り替えること（８０２）の直前にアクティブな前記ＢＷＰに一意に対応する専用物理レイヤ設定である、請求項１に記載の方法（８００）。
【請求項３】
前記保持すること（８０４）が、前記切り替えること（８０２）の直前にアクティブな前記ＢＷＰを含む、前記前もって設定された２つ以上の帯域幅部分の各々のための専用物理レイヤ設定を保持することを含む、請求項２に記載の方法（８００）。
【請求項４】
前記物理レイヤ設定が、前記切り替えること（８０２）の直前にアクティブな前記ＢＷＰを含む、前記前もって設定された２つ以上のＢＷＰに対応する共通物理レイヤ設定である、請求項１に記載の方法（８００）。
【請求項５】
後で前記アクティブＲＲＣ状態に復帰したときに、前記切り替えること（８０２）の直前にアクティブな前記ＢＷＰに対応する前記物理レイヤ設定を使用すること
をさらに含む、請求項１から４のいずれか一項に記載の方法（８００）。
【請求項６】
前記切り替えること（８０２）の後に、前記非アクティブＲＲＣ状態にある間に、前記切り替えること（８０２）の直前にアクティブな前記ＢＷＰに対応する前記物理レイヤ設定を使用してシステム情報および／またはページングを監視すること
をさらに含む、請求項１から５のいずれか一項に記載の方法（８００）。
【請求項７】
前記非アクティブＲＲＣ状態にある間に、前記切り替えること（８０２）の直前にアクティブな前記ＢＷＰに対応する前記物理レイヤ設定をランダムアクセス試行を行うために使用すること
をさらに含む、請求項６に記載の方法（８００）。
【請求項８】
前記ランダムアクセス試行の失敗時に、前記切り替えること（８０２）の直前にアクティブな前記ＢＷＰに対応する前記保持された物理レイヤ設定を廃棄し、後続のランダムアクセス試行のために初期ＢＷＰに戻ること
をさらに含む、請求項７に記載の方法（８００）。
【請求項９】
前記切り替えること（８０２）の直前にアクティブな前記ＢＷＰに対応する前記物理レイヤ設定を前記使用することのいずれかが、前記非アクティブ状態にある間に、前記切り替えること（８０２）の直前にアクティブな前記ＢＷＰのための前記専用物理レイヤ設定の変更を指示するシステム情報（ＳＩ）を受信しなかったことを条件とする、請求項３から８のいずれか一項に記載の方法（８００）。
【請求項１０】
前記無線デバイス（５０）が、前記非アクティブＲＲＣ状態にある間に、セルを、ソースセルからターゲットセルに変更し、前記指示が、前記ターゲットセルを動作させるネットワークノードから受信される、請求項１から９のいずれか一項に記載の方法（８００）。
【請求項１１】
前記無線デバイス（５０）が、前記非アクティブＲＲＣ状態にある間に、セルを、ソースセルからターゲットセルに変更し、前記指示が、前記ソースセルを動作させるネットワークノードから受信される、請求項１から９のいずれか一項に記載の方法（８００）。
【請求項１２】
前記指示が、ＲＲＣ中断メッセージ中で受信される、請求項１から９のいずれか一項に記載の方法（８００）。
【請求項１３】
前記切り替えること（８０２）の直前にアクティブな前記ＢＷＰに対応する前記物理レイヤ設定が、
チャネル状態情報（ＣＳＩ）報告と、
干渉測定報告と、
サウンディング参照信号（ＳＲＳ）設定と
のうちのいずれか１つまたは複数に関係するパラメータを含む、請求項１から１２のいずれか一項に記載の方法（８００）。
【請求項１４】
前もって設定された２つ以上の帯域幅部分（ＢＷＰ）のうちの１つ中で選択的に動作するように設定された無線デバイス（５０）をサーブするネットワークノード（３０）における方法（６００）であって、各ＢＷＰが、アップリンクおよび／またはダウンリンク動作のための利用可能帯域幅の異なるサブセットであり、前記方法（６００）が、
アクティブ無線リソース設定（ＲＲＣ）状態から非アクティブＲＲＣ状態に切り替えると、前記無線デバイス（５０）に、前記切り替えることの直前に前記無線デバイス（５０）によって使用中のＢＷＰに対応する物理レイヤ設定を保持するようにとの指示を送出すること（６０２）
を含む、方法（６００）。
【請求項１５】
前記送出することが、前記無線デバイス（５０）を前記非アクティブＲＲＣ状態に遷移させることとともに実施される、請求項１４に記載の方法（６００）。
【請求項１６】
前記送出すること（６０２）が、ブロードキャストされたシステム情報（ＳＩ）を介する、請求項１４に記載の方法（６００）。
【請求項１７】
前記方法（６００）が、
保持するようにとの前記指示を前記送出することの後に、前記無線デバイス（５０）に、前記切り替えることの直前に前記無線デバイス（５０）によって使用中の前記ＢＷＰに対応する前記物理レイヤ設定に対する１つまたは複数の更新を送出すること
をさらに含む、請求項１４から１６のいずれか一項に記載の方法（６００）。
【請求項１８】
前もって設定された２つ以上の帯域幅部分（ＢＷＰ）のうちの１つ中で選択的に動作するように設定された無線デバイス（５０）であって、各ＢＷＰが、アップリンクおよび／またはダウンリンク動作のための利用可能帯域幅の異なるサブセットであり、前記無線デバイス（５０）が、
無線通信ネットワークのネットワークノードと通信するために設定されたトランシーバ回路要素（５６）と、
前記トランシーバ回路要素（５６）に動作可能に関連付けられ、
無線ネットワークノードから、前記ＢＷＰに対応する物理レイヤ設定を保つようにとの指示を受信することと、
アクティブ無線リソース制御（ＲＲＣ）状態から非アクティブＲＲＣ状態に切り替えることと、
前記切り替えることの後に、および指示を前記受信したことに応答して、前記切り替えることの直前にアクティブな前記ＢＷＰに対応する前記物理レイヤ設定を保持することと
を行うように設定された、処理回路要素（５２）と
を備える、無線デバイス（５０）。
【請求項１９】
前記物理レイヤ設定が、前記前もって設定された２つ以上のＢＷＰのうちの、前記切り替えることの直前にアクティブな前記ＢＷＰに一意に対応する専用物理レイヤ設定である、請求項１８に記載の無線デバイス（５０）。
【請求項２０】
前記処理回路要素（５２）が、前記切り替えることの直前にアクティブな前記ＢＷＰを含む、前記前もって設定された２つ以上のＢＷＰの各々のための専用物理レイヤ設定を保持することによって前記物理レイヤ設定を保持するように設定された、請求項１９に記載の無線デバイス（５０）。
【請求項２１】
前記物理レイヤ設定が、前記切り替えることの直前にアクティブな前記ＢＷＰを含む、前記前もって設定された２つ以上のＢＷＰに対応する共通物理レイヤ設定である、請求項１８に記載の無線デバイス（５０）。
【請求項２２】
前記処理回路要素（５２）が、
後で前記アクティブＲＲＣ状態に復帰したときに、前記切り替えることの直前にアクティブな前記ＢＷＰに対応する前記物理レイヤ設定を使用すること
を行うように設定された、請求項１８から２１のいずれか一項に記載の無線デバイス（５０）。
【請求項２３】
前記処理回路要素（５２）が、
前記切り替えることの後に、前記非アクティブＲＲＣ状態にある間に、前記切り替えることの直前にアクティブな前記ＢＷＰに対応する前記物理レイヤ設定を使用してシステム情報および／またはページングを監視すること
を行うように設定された、請求項１８から２２のいずれか一項に記載の無線デバイス（５０）。
【請求項２４】
前記処理回路要素（５２）が、
前記非アクティブＲＲＣ状態にある間に、前記切り替えることの直前にアクティブな前記ＢＷＰに対応する前記物理レイヤ設定をランダムアクセス試行を行うために使用すること
を行うように設定された、請求項２３に記載の無線デバイス（５０）。
【請求項２５】
前記処理回路要素（５２）が、
前記ランダムアクセス試行の失敗時に、前記切り替えることの直前にアクティブな前記ＢＷＰに対応する前記保持された物理レイヤ設定を廃棄し、後続のランダムアクセス試行のために初期ＢＷＰに戻ること
を行うように設定された、請求項２４に記載の無線デバイス（５０）。
【請求項２６】
前記切り替えることの直前にアクティブな前記ＢＷＰに対応する前記物理レイヤ設定を前記使用することのいずれかが、前記非アクティブ状態にある間に、前記切り替えることの直前にアクティブな前記ＢＷＰのための前記専用物理レイヤ設定の変更を指示するシステム情報（ＳＩ）を受信しなかったことを条件とする、請求項２０から２５のいずれか一項に記載の無線デバイス（５０）。
【請求項２７】
前記無線デバイス（５０）が、前記非アクティブＲＲＣ状態にある間に、セルを、ソースセルからターゲットセルに変更し、前記指示が、前記ターゲットセルを動作させるネットワークノードから受信される、請求項１８から２６のいずれか一項に記載の無線デバイス（５０）。
【請求項２８】
前記無線デバイス（５０）が、前記非アクティブＲＲＣ状態にある間に、セルを、ソースセルからターゲットセルに変更し、前記指示が、前記ソースセルを動作させるネットワークノードから受信される、請求項１８から２６のいずれか一項に記載の無線デバイス（５０）。
【請求項２９】
前記指示が、ＲＲＣ中断メッセージ中で受信される、請求項１８から２６のいずれか一項に記載の無線デバイス（５０）。
【請求項３０】
前記切り替えることの直前にアクティブな前記ＢＷＰに対応する前記物理レイヤ設定が、
チャネル状態情報（ＣＳＩ）報告と、
干渉測定報告と、
サウンディング参照信号（ＳＲＳ）設定と
のうちのいずれか１つまたは複数に関係するパラメータを含む、請求項１８から２９のいずれか一項に記載の無線デバイス（５０）。
【請求項３１】
前もって設定された２つ以上の帯域幅部分（ＢＷＰ）のうちの１つ中で選択的に動作するように設定された無線デバイス（５０）をサーブするように設定されたネットワークノード（３０）であって、各ＢＷＰが、アップリンクおよび／またはダウンリンク動作のための利用可能帯域幅の異なるサブセットであり、前記ネットワークノード（３０）が、
前記無線デバイス（５０）と通信するために設定されたトランシーバ回路要素（３６）と、
前記トランシーバ回路要素（３６）に動作可能に関連付けられ、
アクティブ無線リソース設定（ＲＲＣ）状態から非アクティブＲＲＣ状態に切り替えると、前記無線デバイス（５０）に、前記切り替えることの直前に前記無線デバイス（５０）によって使用中のＢＷＰに対応する物理レイヤ設定を保持するようにとの指示を送出すること
を行うように設定された、処理回路要素（３２）と
を備える、ネットワークノード（３０）。
【請求項３２】
前記処理回路要素（３２）が、前記無線デバイス（５０）を前記非アクティブＲＲＣ状態に遷移させることとともに前記送出することを実施するように設定された、請求項３１に記載のネットワークノード（３０）。
【請求項３３】
前記処理回路要素（３２）が、ブロードキャストされたシステム情報（ＳＩ）を介して前記指示を送出するように設定された、請求項３１に記載のネットワークノード（３０）。
【請求項３４】
前記処理回路要素（３２）が、
保持するようにとの前記指示を前記送出することの後に、前記無線デバイス（５０）に、前記切り替えることの直前に前記無線デバイス（５０）によって使用中の前記ＢＷＰに対応する前記物理レイヤ設定に対する１つまたは複数の更新を送出すること
を行うように設定された、請求項３１から３３のいずれか一項に記載のネットワークノード（３０）。
【請求項３５】
少なくとも１つの処理回路（３２、５２）上で実行されたとき、前記少なくとも１つの処理回路（３２、５２）に、請求項１から１７のいずれか一項に記載の方法（６００、８００）を行わせる命令を備える、コンピュータプログラム製品（４６、６６）。
【請求項３６】
請求項３５に記載のコンピュータプログラム製品（４６、６６）を含んでいるキャリアであって、前記キャリアが、電子信号、光信号、無線信号、またはコンピュータ可読記憶媒体（４４、６４）のうちの１つである、キャリア。
【手続補正２】
【補正対象書類名】明細書
【補正対象項目名】全文
【補正方法】変更
【補正の内容】
【発明の詳細な説明】
【技術分野】
【０００１】
本開示は、一般に、無線ネットワーク通信の分野に関し、より詳細には、前もって設定された２つ以上の帯域幅部分（ＢＷＰ）のうちの１つ中で選択的に動作するように設定された無線デバイスであって、各ＢＷＰが、アップリンクおよび／またはダウンリンク動作のための利用可能帯域幅の異なるサブセットである、無線デバイスに関する。
【背景技術】
【０００２】
いわゆる帯域幅部分（ＢＷＰ）についての第３世代パートナーシッププロジェクト（３ＧＰＰ）５Ｇ規格化における進行中の議論がある。ＢＷＰを使用する１つの理由は、いくつかのユーザ機器（ＵＥ）が、帯域幅全体を使用することが可能でないことがあり、その場合、それらのＵＥは、それらのＵＥがハンドリングすることが可能であるより小さいＢＷＰを割り振られることである。ＢＷＰを使用する別の理由は、バッテリー電力を節約することである。ＵＥは、必要とされるエネルギーを低減するために、より狭いＢＷＰを割り振られ得る。
【０００３】
これまで、各ＵＥは、少なくとも初期ＢＷＰ（すべてのＵＥについて同じであり、すべてのＵＥがそれを使用することが可能であるのに十分な狭帯域幅をもつ）とデフォルトＢＷＰとを割り振られることが合意されている。デフォルトＢＷＰは、初期ＢＷＰと同じであり得るが、異なることもある（すなわち、異なるＵＥが、一般に、異なるデフォルトＢＷＰを有することになる）。初期ＢＷＰおよびデフォルトＢＷＰに加えて、ＵＥには、追加のＢＷＰが設定され得る。ＵＥは、最高４つのダウンリンク／アップリンクＢＷＰを有することができることが合意されている。任意の時点において、特定のＵＥのために、１つのＢＷＰのみがアクティブであることも、重要な合意である。非アクティブ化されたＢＷＰ上で、ＵＥは、物理ダウンリンク制御チャネル（ＰＤＣＣＨ）を監視せず、物理アップリンク制御チャネル（ＰＵＣＣＨ）、物理ランダムアクセスチャネル（ＰＲＡＣＨ）およびアップリンク共有チャネル（ＵＬ−ＳＣＨ）上で送信しない。
【０００４】
ＵＥには、（初期信号を除いて）無線リソース制御（ＲＲＣ）シグナリングを使用してＢＷＰが設定され、ＢＷＰ間での切替えは、ダウンリンク物理制御チャネル（ＤＰＣＣＨ）上のダウンリンク制御情報（ＤＣＩ）によって行われる。ｂｗｐ−ＩｎａｃｔｉｖｉｔｙＴｉｍｅｒが満了したとき、デフォルトＢＷＰに切り替える可能性もある。
【０００５】
設定されたＢＷＰはＲＡＣＨリソースを有し得るが、ＲＡＣＨリソースなしのＢＷＰもあり得、その場合、ＵＥは、利用可能なＲＡＣＨリソースがある別のＢＷＰ上でランダムアクセスを実施することになる。また、物理アップリンク制御チャネル（ＰＵＣＣＨ）について、ＢＷＰは、ＰＵＣＣＨが設定されることも設定されないこともある。ＰＵＣＣＨが設定されない理由は、ＰＵＣＣＨがリソースを占有することであり、これは、（特に、設定されたがアクティブでないＢＷＰにおいて）オーバーヘッドにつながることになる。ＵＥが、ＰＵＣＣＨなしのＢＷＰに移動された場合、アクティブＢＷＰ中でＰＵＣＣＨが設定されないことの帰結は、ＵＥが、ダウンリンク送信のためのスケジューリング要求（ＳＲ）またはハイブリッド自動再送要求（ＨＡＲＱ）フィードバックを送出することができないことである。ＰＵＣＣＨはまた、ＰＵＣＣＨを設定することなしに送信され得ないチャネル品質インジケータ（ＣＱＩ）のために使用される。ほぼ確実に、ネットワークは、ＰＵＣＣＨが、性能の理由のために始めから設定されなかった場合、アクティブＢＷＰ上でも、ＰＵＣＣＨをＢＷＰに再設定する必要があるであろう。
【０００６】
３ＧＰＰ文書、３ＧＰＰ  ＴＳ３８．３３１、Ｖ１５．０．０（２０１８年１月）によれば、帯域幅部分を設定するために、ＢａｎｄｗｉｄｔｈＰａｒｔ−Ｃｏｎｆｉｇ情報エレメント（ＩＥ）が使用され、これは、３ＧＰＰ  ＴＳ３８．２１１において規定されている。
【０００７】
各サービングセルについて、ネットワークは、少なくとも、ダウンリンク帯域幅部分と、１つ（サービングセルに、アップリンクが設定される場合）または２つ（補助アップリンク（ＳＵＬ：ｓｕｐｐｌｅｍｅｎｔａｒｙ  ｕｐｌｉｎｋ）を使用する場合）のアップリンク帯域幅部分とからなる、少なくとも初期帯域幅部分を設定する。さらに、ネットワークは、サービングセルについて、追加のアップリンクおよびダウンリンク帯域幅部分を設定し得る。
【０００８】
帯域幅設定は、アップリンクパラメータとダウンリンクパラメータとに、および共通パラメータと専用パラメータとに分割される。（ＵｐｌｉｎｋＢＷＰ−ＣｏｍｍｏｎおよびＤｏｗｎｌｉｎｋＢＷＰＣｏｍｍｏｎ中の）共通パラメータは「セル固有」であり、ネットワークは、他のＵＥの対応するパラメータとの必要な整合を保証する。また、ＰＣｅｌｌの初期帯域幅部分の共通パラメータは、システム情報を介して提供される。すべての他のサービングセルについて、ネットワークは、専用シグナリングを介して共通パラメータを提供する。
【０００９】
ＢａｎｄｗｉｄｔｈＰａｒｔ−ｃｏｎｆｉｇ情報エレメントのコンテンツについての１つの可能性は以下の通りである。
−−−−−−−−−−−−−−−−−−−−−−−−−−−−−−−−−−−
2021514131.tif 000030
2021514131.tif 000031
2021514131.tif 000032
2021514131.tif 000033
−−−−−−−−−−−−−−−−−−−−−−−−−−−−−−−−−−−
【００１０】
以下の抜粋は、３ＧＰＰでのＰＷＢ動作の進行中の規格化に関し、示されているように、たとえば、初期ダウンリンクＢＷＰを含む、ＵＥのサービングセルのセル固有パラメータを設定するために使用され得る、ＳｅｒｖｉｎｇＣｅｌｌＣｏｎｆｉｇＣｏｍｍｏｎ情報エレメント、ならびに、初期ダウンリンクＢＷＰおよび／または第１のアクティブダウンリンクＢＷＰなど、いくつかのＵＥ固有パラメータを設定するために使用され得る、ＳｅｒｖｉｎｇＣｅｌｌＣｏｎｆｉｇ情報エレメントのための暫定仕様を含む。
−−−−−−−−−−−−−−−−−−−−−−−−−−−−−−−−−−−
１．１．１．１  ＳｅｒｖｉｎｇＣｅｌｌＣｏｎｆｉｇＣｏｍｍｏｎ
ＳｅｒｖｉｎｇＣｅｌｌＣｏｎｆｉｇＣｏｍｍｏｎ  ＩＥは、ＵＥのサービングセルのセル固有パラメータを設定するために使用される。そのＩＥは、ＵＥが一般に、アイドルからセルにアクセスするときに、ＳＳＢ、ＭＩＢまたはＳＩＢから収集することになるパラメータを含んでいる。このＩＥでは、ネットワークは、ＳＣｅｌｌを、または追加のセルグループ（ＳＣＧ）を、ＵＥに設定するときに、専用シグナリング中でこの情報を提供する。ネットワークは、同期を伴う再設定時にも、ＳｐＣｅｌｌｓ（ＭＣＧおよびＳＣＧ）についてこの情報を提供する。
ＳｅｒｖｉｎｇＣｅｌｌＣｏｎｆｉｇＣｏｍｍｏｎ情報エレメント
2021514131.tif 000034
2021514131.tif 000035
2021514131.tif 000036
2021514131.tif 000037
１．１．１．２  ＳｅｒｖｉｎｇＣｅｌｌＣｏｎｆｉｇ
ＳｅｒｖｉｎｇＣｅｌｌＣｏｎｆｉｇ  ＩＥは、ＳｐＣｅｌｌ、あるいはＭＣＧまたはＳＣＧのＳＣｅｌｌであり得る、サービングセルをＵＥに設定（追加または修正）するために使用される。本明細書のパラメータは、大部分がＵＥ固有であるが、部分的に（たとえば、追加として設定された帯域幅部分中では）セル固有でもある。
ＳｅｒｖｉｎｇＣｅｌｌＣｏｎｆｉｇ情報エレメント
2021514131.tif 000038
2021514131.tif 000039
2021514131.tif 000040
−−−−−−−−−−−−−−−−−−−−−−−−−−−−−−−−−−−
【００１１】
３ＧＰＰ  ＴＳ３８．２１１のバージョン１５．０．０および３ＧＰＰ  ＴＳ３８．３３１のバージョン１５．０．０において規定されるソリューションに関する問題は、ＵＥが、アイドル状態または非アクティブ状態のいずれかに入るたびに、ＵＥが、専用ＢＷＰ設定を廃棄することである。これは、ＵＥへのＲＲＣシグナリングを介して送出されたすべてのＢＷＰ設定が廃棄されることになることを意味する。
【００１２】
文書３ＧＰＰ  ＴＳＧ−ＲＡＮ  ＷＧ２  ＮＲ  ＃１０１  Ｒ２−１８０２４６２「Ｆｕｒｔｈｅｒ  ｃｏｎｓｉｄｅｒａｔｉｏｎ  ｆｏｒ  ｂａｎｄｗｉｄｔｈ  ｐａｒｔ」は、３ＧＰＰにおいてＢＷＰ動作を完成するためのさらなる論点について論じる。
【発明の概要】
【００１３】
本発明の実施形態はこの問題に対処する。ＵＥが再び接続（Ｃｏｎｎｅｃｔｅｄ）状態に入るとき、ＵＥは、ネットワークにアクセスし、もう一度専用ＲＲＣ  ＢＷＰ設定を受信するために、初期ＢＷＰを使用することになる。接続からアイドル／非アクティブへのおよびアイドル／非アクティブから接続への遷移は極めて頻繁であり得るので、ＲＲＣを介して専用ＢＷＰ設定を送信することのオーバーヘッドは、かなり高くなり得る。実施形態の利点は、ＵＥが接続モードに再び入るたびに、専用ＢＷＰ設定シグナリングが回避され得ることである。
【００１４】
いくつかの実施形態によれば、前もって設定された２つ以上のＢＷＰのうちの１つ中で選択的に動作するように設定された無線デバイス（たとえば、ＵＥ）における方法であって、各ＢＷＰが、アップリンクおよび／またはダウンリンク動作のための利用可能帯域幅の異なるサブセットである、方法は、無線ネットワークノードから、ＢＷＰに対応する物理レイヤ設定を保つようにとの指示を受信することと、アクティブＲＲＣ状態から非アクティブＲＲＣ状態に切り替えることと、前記切り替えることの後に、および指示を前記受信したことに応答して、前記切り替えることの直前にアクティブなＢＷＰに対応する物理レイヤ設定を保持することとを含む。
【００１５】
いくつかの実施形態によれば、前もって設定された２つ以上のＢＷＰのうちの１つ中で選択的に動作するように設定された無線デバイスをサーブするネットワークノードにおける方法であって、各ＢＷＰが、アップリンクおよび／またはダウンリンク動作のための利用可能帯域幅の異なるサブセットである、方法は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出することを含む。
【００１６】
いくつかの実施形態によれば、前もって設定された２つ以上のＢＷＰのうちの１つ中で選択的に動作するように設定された無線デバイスであって、各ＢＷＰが、アップリンクおよび／またはダウンリンク動作のための利用可能帯域幅の異なるサブセットである、無線デバイスは、無線通信ネットワークのネットワークノードと通信するために設定されたトランシーバ回路要素と、トランシーバ回路要素に動作可能に関連付けられた処理回路要素とを含む。処理回路要素は、無線ネットワークノードから、ＢＷＰに対応する物理レイヤ設定を保つようにとの指示を受信することと、アクティブＲＲＣ状態から非アクティブＲＲＣ状態に切り替えることと、前記切り替えることの後に、および指示を前記受信したことに応答して、前記切り替えることの直前にアクティブなＢＷＰに対応する物理レイヤ設定を保持することとを行うように設定される。
【００１７】
いくつかの実施形態によれば、前もって設定された２つ以上のＢＷＰのうちの１つ中で選択的に動作するように設定された無線デバイスをサーブするように設定されたネットワークノードであって、各ＢＷＰが、アップリンクおよび／またはダウンリンク動作のための利用可能帯域幅の異なるサブセットである、ネットワークノードは、無線デバイスと通信するために設定されたトランシーバ回路要素と、トランシーバ回路要素に動作可能に関連付けられた処理回路要素とを含む。処理回路要素は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定される。
【００１８】
本発明のさらなる態様は、上記で要約された方法ならびに上記で要約された装置および無線デバイスの機能的実装形態に対応する、装置、無線デバイス、ネットワークノード、コンピュータプログラム製品またはコンピュータ可読記憶媒体を対象とする。
【００１９】
もちろん、本発明は、上記の特徴および利点に限定されない。当業者は、以下の詳細な説明を読み、添付の図面を見ると、追加の特徴および利点を認識されよう。
【図面の簡単な説明】
【００２０】
【図１】ＵＥが、アイドル／非アクティブへの遷移を行うときのＵＥ挙動を示す図である。
【図２】いくつかの実施形態による、ＵＥ挙動を示す図である。
【図３】いくつかの実施形態による、ＵＥ挙動を示す図である。
【図４】いくつかの実施形態による、ハンドオーバ事例におけるＵＥ挙動を示す図である。
【図５】いくつかの実施形態による、ネットワークノードのブロック図である。
【図６】いくつかの実施形態による、ネットワークノードにおける方法の流れ図である。
【図７】いくつかの実施形態による、無線デバイスのブロック図である。
【図８】いくつかの実施形態による、無線デバイスにおける方法の流れ図である。
【図９】いくつかの実施形態による、中間ネットワークを介してホストコンピュータに接続された通信ネットワークを概略的に示す図である。
【図１０】いくつかの実施形態による、部分的無線接続上で基地局を介してユーザ機器と通信するホストコンピュータの一般化されたブロック図である。
【図１１】ホストコンピュータと、基地局と、ユーザ機器とを含む通信システムにおいて実装される例示的な方法を示すフローチャートである。
【図１２】ホストコンピュータと、基地局と、ユーザ機器とを含む通信システムにおいて実装される例示的な方法を示すフローチャートである。
【図１３】ホストコンピュータと、基地局と、ユーザ機器とを含む通信システムにおいて実装される例示的な方法を示すフローチャートである。
【図１４】ホストコンピュータと、基地局と、ユーザ機器とを含む通信システムにおいて実装される例示的な方法を示すフローチャートである。
【図１５】いくつかの実施形態による、ネットワークノードの機能的実装形態を示すブロック図である。
【図１６】いくつかの実施形態による、無線デバイスの機能的実装形態を示すブロック図である。
【発明を実施するための形態】
【００２１】
次に、発明概念の実施形態の例が示されている添付の図面を参照しながら、本開示の例示的な実施形態が以下でより十分に説明される。しかしながら、発明概念は、多くの異なる形態で具現され得、本明細書に記載される実施形態に限定されるものとして解釈されるべきではない。むしろ、これらの実施形態は、本開示が徹底的かつ完全であり、本発明概念の範囲を当業者に十分に伝達するように提供される。これらの実施形態が相互排他的でないことにも留意されたい。一実施形態からの構成要素が、別の実施形態において存在する／使用されると暗に仮定され得る。
【００２２】
ＲＡＮ２  ＡＨ１８０１では、ＢＷＰに関する以下の合意が行われた。
−−−−−−−−−−−−−−−−−−−−−−−−−−−−−−−−−−−
ＰＣｅｌｌおよびＰＳＣｅｌｌについての合意（ＳＣｅｌｌへの適用可能性は、オフラインでは、ＢＷＰシグナリング構造に依存する）
１  ＲＡＮ２は、アイドル／非アクティブＵＥがキャンピングするセルのＳＳＢがセル規定ＳＳＢであることを理解する。
２  アイドル／非アクティブ状態において、システム情報は、ＵＥに、初期ＤＬおよびＵＬ  ＢＷＰに対応する（他のＢＷＰに対応しない）共通設定を提供する。
ＦＦＳ  ＳＩ中で提供される初期ＢＷＰと専用シグナリング中で提供される初期ＢＷＰとが、単に仕様に対して２つのタイプとして規定されるかどうか。ステージ３の論点。
２ｉ  初期ＢＷＰの共通設定および専用設定は、ＲＲＣ接続状態において提供され得る。共通設定は、同期再設定においてのみ提供される。
２ｉｉ  他のＢＷＰは、ＲＲＣ接続においてのみ設定され得る。
３  アイドル／非アクティブＵＥは、初期ＤＬ  ＢＷＰ中で、システム情報およびページング情報を監視する。
４  アイドル／非アクティブＵＥは、初期ＵＬ／ＤＬ  ＢＷＰ中でランダムアクセスを実施する。
５  システム情報中で提供される初期ＢＷＰ設定は、同期再設定において提供されるＲＲＣ接続において提供される初期ＢＷＰ設定の共通設定と同じであるべきである。
６  アイドル状態への遷移時に、ＵＥは、すべての専用ＢＷＰ設定を解放する（したがって、ＵＥは、ＵＥがキャンピングされるセルのシステム情報からの初期ＢＷＰ設定を適用する）。
７  非アクティブ状態への遷移時に、ＵＥは、ＵＥがキャンピングされるセルのシステム情報からの初期ＢＷＰ設定を適用する。
８  ＢＷＰは、セル選択および再選択に対する、仕様の影響を有しない。セル選択および再選択はＳＳＢに基づく。
ＦＦＳ  ＵＥが非アクティブにある間、ＰＨＹレイヤ設定が保たれるかどうか。
これらの合意の下で、ＵＥが、非アクティブへの遷移を行うときに、専用ＢＷＰ設定が保たれるかどうかは明らかでない。ＵＥがアイドルに入る場合、図１に示されているように、すべての専用ＢＷＰ設定が廃棄されることは明らかである。
−−−−−−−−−−−−−−−−−−−−−−−−−−−−−−−−−−−
【００２３】
図１は、ＵＥが、アイドル／非アクティブへの遷移を行うときのＵＥ挙動の概略図を示す。
【００２４】
以下のセクションは、非アクティブ事例のための実施形態について説明する。これらのソリューションは、ＵＥが、アイドル状態に入り、次いで、接続状態に再接続する場合にも適用され得ることに留意されたい。
【００２５】
実施形態１
第１の手法によれば、ＵＥは、非アクティブ状態に入るとき、現在の専用ＢＷＰ設定を保つ。そのようなソリューションでは、ＵＥが再び、接続モードに再び入るとき、専用ＲＲＣ  ＢＷＰ設定シグナリングの必要が減少するか、または完全に回避され得る（すなわち、図２参照）。ＵＥが非アクティブ状態に入るとき、ネットワークは、依然として、ＵＥのためのＰＨＹレイヤ設定のサブセットのためのリソースを解放することができることに留意されたい（図２中のＢＷＰ１参照）。たとえば、設定されたＰＵＣＣＨおよびチャネル状態情報参照信号（ＣＳＩ−ＲＳ）リソース、同期参照信号（ＳＲＳ）報告、またはティアダウン指示（ＴＣＩ）状態が解放され得、そのようなプロシージャのために使用されるリソースは、ＢＷＰ１中で依然としてアクティブな別のＵＥによって使用され得る。
【００２６】
図２は、初期帯域幅部分２０２と帯域幅部分１  ２０４とをもつ第１の実施形態を示す。専用ＢＷＰ設定２０６が変わった場合、ネットワークは、少なくとも、設定の変更された部分について、ＲＲＣを介して、新しい専用ＢＷＰ設定をＵＥに更新しなければならない。したがって、ＵＥは、ＵＥが非アクティブ状態２１２に入るとき、専用ＢＷＰ設定を保つまたは保持するものとし、ネットワークは、ＵＥが、非アクティブ状態２１２に入る前と同じＢＷＰ設定を有すると仮定することができる。
【００２７】
さらなる実施形態では、ネットワークは、非アクティブ状態２１２への遷移中に、ＵＥに、専用ＢＷＰ設定またはこれらの設定のサブセットを保つ２１４ようにシグナリングする。
【００２８】
また別の実施形態では、ＵＥが再び、接続モード２１６に再び入るとき、ネットワークは、新しい専用ＢＷＰ設定のみを、完全にＲＲＣを介して送信し（古い専用ＢＷＰ設定をオーバーライドする）またはデルタシグナリングによって送信し、これは、変更された設定のみをオーバーライドすることを意味する。
【００２９】
実施形態２
ソリューションのさらなる最適化は、一実施形態によれば、ＵＥが非アクティブ２１２に入るとき、ＵＥはまた、ＢＷＰ１  ２０４（以前のアクティブＢＷＰ）を監視し続け、ＢＷＰ１  ２０４からのシステム情報およびページングをリッスンし、また、ＢＷＰ１  ２０４中でランダムアクセスを行うことになる。言い換えれば、ＢＷＰ１  ２０４は、デフォルトＢＷＰおよび／または初期ＢＷＰとして使用され得る。これは、初期ＢＷＰ２０２へのおよび初期ＢＷＰ２０２からの切替えの必要を除去する、図３参照。ランダムアクセスが失敗した場合、ＵＥは、初期ＢＷＰ２０２に自動的に切り替え、専用ＢＷＰ設定を廃棄する。
【００３０】
実施形態３
考えられる問題は、ＵＥが非アクティブ２１２に入った後に、ＵＥが、ハンドオーバの場合のように、移動し、セルを変更し得ることである。通常プロシージャは、次いで、通常通り、システム情報（ＳＩ）を読み取り、初期ＢＷＰ設定を得て、初期ＢＷＰ上でランダムアクセスを行うことである。その後、ＵＥは、ＲＲＣを介して専用ＢＷＰ設定を受信することができる。
【００３１】
ハンドオーバのこの事例では、図４によって示されているように、隣接するセルのためのＢＷＰ設定は、セルプロパティがおそらく同じ（たとえば、同じ周波数、同じ能力など）であるので、同じである可能性がある。その場合、ＵＥが、ＵＥのセルを変更したときにＲＲＣを介して専用ＢＷＰ設定を送出することを回避するためのソリューションは、以下の通りである。ソースノードが、Ｘｎインターフェース４０８を介して新しいセルに専用ＢＷＰ設定を送出する。図４中の例を仮定すると、専用ＢＷＰ設定は、ＵＥ４０６が、ＵＥ４０６のセルをｇＮＢ２  ４０４に変更するとき、ソースｇＮＢ１  ４０２からターゲットｇＮＢ２  ４０４に送出される。
【００３２】
ＢＷＰ設定が、両方のセルについて同じである場合、１）ターゲットノード４０４は、このＢＷＰ設定が依然として有効であるか否かを指示する（ソースノード４０２は、次いで、ＵＥ４０６に、最新のＢＷＰ設定を保つべきか否かを指示することができる）か、または、２）ターゲットノード４０４は、ＵＥ４０６に、最新のＢＷＰ設定に保つように直接指示するかのいずれかである。
【００３３】
実施形態４
別の実施形態では、ＵＥは、条件付きで、専用ＢＷＰ設定を保つべきか否かのＲＲＣ中断（または同様のＲＲＣメッセージ）指示に基づいて、記憶された専用設定を使用し得（いくつかの場合には、ネットワークは、ＵＥに、ＢＷＰのすべて／サブセットのための設定のすべて／サブセットを保つように依頼し得）、ＳＩは、ＢＷＰ関係設定の変更を指示し、および／または、（ＵＥがキャンプオンされる）現在のセルのＳＩ情報は、ＵＥに、（ＢＷＰ関係情報に関して）それが設定されるセルのＳＩ情報とは異なる。
【００３４】
前の実施形態は、より最適化されたソリューションを示唆するが、ＵＥはまた、ＵＥがキャンプオンされるセルまたはノードが変わる場合、記憶されたＢＷＰ設定が、無効であり、解放され得ると仮定し得る。
【００３５】
一般的見解：
ＵＥには、ＲＲＣ接続セットアップ、ＲＲＣ（接続）再設定またはＲＲＣ（接続）再開または同様のメッセージによって、専用ＢＷＰ設定が設定され得る。ＲＲＣ（接続）中断または解放メッセージは、物理レイヤ設定などのＢＷＰ設定を保つべきかどうかを明示的に指示することができるか、または、暗黙的に、メッセージ自体が、物理レイヤ設定が保たれるかどうかを指示することができる。たとえば、ＲＲＣ中断メッセージが送出されたとき、ＵＥは、常に、ＢＷＰ設定を保つ。
【００３６】
実施形態は専用設定に言及するが、記憶される情報は、（追加としてまたは単独で）共通設定でもあり得、いくつかの場合には、記憶される共通設定は、ＳＩによってブロードキャストされた共通設定をオーバーライドし得る。
【００３７】
本明細書で使用される用語は、実施形態について説明するためのものであり、技術仕様または実装形態において変化するか、または異なり得る。いくつかの場合には、デフォルトＢＷＰと初期ＢＷＰとは交換され得る。ＲＡＮ１は、電力節約目的のためにデフォルトＢＷＰ（ダウンリンクのみ）を規定し、デフォルトＢＷＰが初期ダウンリンクＢＷＰとは異なり得、ＤＬデフォルトＢＷＰが同期信号ブロック（ＳＳＢ）を含んでいないことがあることに合意した。デフォルトＢＷＰはＵＥ固有であり得、異なるＵＥに、それらのＵＥのサービスおよび能力に従って、異なるデフォルトＢＷＰが設定され得る。しかしながら、初期ダウンリンク／アップリンクＢＷＰは、ＳＳＢを規定する同じセルが設定される異なるＵＥについて共通である。
【００３８】
いくつかの場合には、記憶される設定は、すべてのＢＷＰまたはＢＷＰのサブセットのためのものであり得る。記憶される設定は、デフォルトＢＷＰおよび／または初期ＢＷＰ設定を含むこともあれば含まないこともある。様々な実施形態が、ダウンリンクのみにおいて、アップリンクのみにおいて、または両方において適用され得る。
【００３９】
非アクティブ状態に入ると、専用ＢＷＰ設定は保たれ、ＵＥが接続モードに再び入るとき、ＵＥは、ネットワークからいかなる専用ＢＷＰ設定も送信されないが、その専用ＢＷＰ設定を再適用する。
【００４０】
さらなる実施形態では、ネットワークは、ＵＥに、非アクティブ状態への遷移中に、専用ＢＷＰ設定を保つようにシグナリングする。
【００４１】
また別の実施形態では、ＵＥが再び、接続モードに再び入るとき、ネットワークは、新しい専用ＢＷＰ設定の一部を、ＲＲＣを介して送信する（古いＢＷＰ設定を部分的にオーバーライドする）。
【００４２】
また別の実施形態では、ＵＥが非アクティブ状態に入るとき、ＵＥはまた、ＢＷＰ１を監視し続け、（初期ＢＷＰでない）アクティブＢＷＰからのシステム情報およびページングをリッスンすることになり、ＵＥが接続モードに再び入るとき、ＵＥは、専用ＢＷＰ中でランダムアクセスを行うことを試みることになる。
【００４３】
図５は、基地局など、ネットワークノード３０を示し、ネットワークノード３０は、これらの開示された技法のうちの１つまたは複数を行うように設定され得る。基地局は、エボルブドノードＢ（ｅノードＢ）、ノードＢまたはｇＮＢであり得る。これらの動作は、他の種類のネットワークノードまたはリレーノードによって実施され得る。以下で説明される非限定的な実施形態では、ネットワークノード３０は、ＬＴＥネットワークまたはＮＲネットワークにおいてセルラーネットワークアクセスノードとして動作するように設定されるものとして説明される。
【００４４】
当業者は、各タイプのノードが、たとえば、処理回路３２による実行のための適切なプログラム命令の修正および／または追加を通して、どのように、本明細書で説明される方法およびシグナリングプロセスのうちの１つまたは複数を行うように適応され得るかを容易に諒解するであろう。
【００４５】
ネットワークノード３０は、無線端末、他のネットワークアクセスノードおよび／またはコアネットワークの間の通信を容易にする。ネットワークノード３０は、データおよび／またはセルラー通信サービスを提供するために、コアネットワーク中の他のノード、ネットワーク中の無線ノードおよび／または他のタイプのノードと通信するための回路要素を含む、通信インターフェース回路要素３８を含み得る。ネットワークノード３０は、アンテナ３４およびトランシーバ回路要素３６を使用して、無線デバイスと通信する。トランシーバ回路要素３６は、送信機回路と、受信機回路と、関連付けられた制御回路とを含み得、それらはまとめて、セルラー通信サービスを提供するために、無線アクセス技術に従って信号を送信および受信するように設定される。
【００４６】
ネットワークノード３０は、トランシーバ回路要素３６、およびいくつかの場合には、通信インターフェース回路要素３８に動作可能に関連付けられた、１つまたは複数の処理回路３２をも含む。処理回路要素３２は、１つまたは複数のデジタルプロセッサ４２、たとえば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の混合を備える。より一般的には、処理回路要素３２は、固定回路要素またはプログラマブル回路要素を備え得、プログラマブル回路要素は、本明細書で教示される機能性を実装するプログラム命令の実行を介して特別に設定されるか、または固定およびプログラムされた回路要素の何らかの混合を備え得る。プロセッサ４２は、マルチコアであり、すなわち、向上した性能、低減された電力消費、および複数のタスクのより効率的な同時処理のために利用される２つまたはそれ以上のプロセッサコアを有し得る。
【００４７】
処理回路要素３２はメモリ４４をも含む。メモリ４４は、いくつかの実施形態では、１つまたは複数のコンピュータプログラム４６および、随意に、設定データ４８を記憶する。メモリ４４は、コンピュータプログラム４６のための非一時的ストレージを提供し、非一時的ストレージは、ディスクストレージ、固体メモリストレージ、またはそれらの任意の混合など、１つまたは複数のタイプのコンピュータ可読媒体を備え得る。ここで、「非一時的」は、永続的、半永続的、または少なくとも一時的に永続的なストレージを意味し、不揮発性メモリ中の長期ストレージと、たとえば、プログラム実行のためのワーキングメモリ中のストレージとの両方を包含する。非限定的な例として、メモリ４４は、処理回路要素３２中にあり、および／または処理回路要素３２とは別個であり得る、ＳＲＡＭ、ＤＲＡＭ、ＥＥＰＲＯＭ、およびＦＬＡＳＨメモリのうちの任意の１つまたは複数を備える。メモリ４４は、ネットワークアクセスノード３０によって使用される任意の設定データ４８をも記憶し得る。処理回路要素３２は、たとえば、メモリ４４に記憶された適切なプログラムコードの使用を通して、以下で詳述される方法および／またはシグナリングプロセスのうちの１つまたは複数を行うように設定され得る。
【００４８】
ネットワークノード３０の処理回路要素３２は、いくつかの実施形態によれば、前もって設定された２つ以上のＢＷＰのうちの１つ中で選択的に動作するように設定された無線デバイスであって、各ＢＷＰが、アップリンクおよび／またはダウンリンク動作のための利用可能帯域幅の異なるサブセットである、無線デバイスをサーブするように設定される。ネットワークノード３０の処理回路要素３２は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定される。
【００４９】
ネットワークノード３０の処理回路要素３２は、図６に示されているような、対応する方法６００を実施するようにも設定され得る。方法６００は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出すること（ブロック６０２）を含む。送出することは、無線デバイスを非アクティブＲＲＣ状態に遷移させることとともに実施され得る。送出することは、ブロードキャストされたＳＩを介したものであり得る。
【００５０】
方法６００は、保持するようにとの指示を前記送出することの後に、無線デバイスに、前記切り替えることの直前に無線デバイスによって使用中のＢＷＰに対応する物理レイヤ設定に対する１つまたは複数の更新を送出することをさらに含み得る。
【００５１】
図７は、いくつかの実施形態による、無線デバイス５０として示されている無線デバイスの図を示す。無線デバイス５０は、セルラーネットワーク中のＵＥなど、ネットワークにおいて動作し得る任意の無線端末を表すと見なされ得る。他の例は、通信デバイス、ターゲットデバイス、デバイスツーデバイス（Ｄ２Ｄ）ＵＥ、マシン型ＵＥまたはマシンツーマシン（Ｍ２Ｍ：ｍａｃｈｉｎｅ  ｔｏ  ｍａｃｈｉｎｅ  ｃｏｍｍｕｎｉｃａｔｉｏｎ）通信が可能なＵＥ、ＵＥを装備したセンサー、ＰＤＡ（携帯情報端末）、タブレット、モバイル端末、スマートフォン、ラップトップ埋込み機器（ＬＥＥ）、ラップトップ搭載機器（ＬＭＥ）、ＵＳＢドングル、顧客構内機器（ＣＰＥ）などを含み得る。
【００５２】
無線デバイス５０は、アンテナ５４およびトランシーバ回路要素５６を介して、ワイドエリアセルラーネットワーク中の無線ネットワークノードまたは基地局と通信するように設定される。トランシーバ回路要素５６は、送信機回路と、受信機回路と、関連付けられた制御回路とを含み得、それらはまとめて、セルラー通信サービスを使用するために、無線アクセス技術に従って信号を送信および受信するように設定される。この説明の目的で、この無線アクセス技術は、ＮＲおよびＬＴＥである。
【００５３】
無線デバイス５０はまた、無線トランシーバ回路要素５６に動作可能に関連付けられた１つまたは複数の処理回路５２を含む。処理回路要素５２は、１つまたは複数のデジタル処理回路、たとえば、１つまたは複数のマイクロプロセッサ、マイクロコントローラ、ＤＳＰ、ＦＰＧＡ、ＣＰＬＤ、ＡＳＩＣ、またはそれらの任意の混合を備える。より一般的には、処理回路要素５２は、固定回路要素またはプログラマブル回路要素を備え得、プログラマブル回路要素は、本明細書で教示される機能性を実装するプログラム命令の実行を介して特別に適応されるか、または固定およびプログラムされた回路要素の何らかの混合を備え得る。処理回路要素５２はマルチコアであり得る。
【００５４】
処理回路要素５２はメモリ６４をも含む。メモリ６４は、いくつかの実施形態では、１つまたは複数のコンピュータプログラム６６および、随意に、設定データ６８を記憶する。メモリ６４は、コンピュータプログラム６６のための非一時的ストレージを提供し、非一時的ストレージは、ディスクストレージ、固体メモリストレージ、またはそれらの任意の混合など、１つまたは複数のタイプのコンピュータ可読媒体を備え得る。非限定的な例として、メモリ６４は、処理回路要素５２中にあり、および／または処理回路要素５２とは別個であり得る、ＳＲＡＭ、ＤＲＡＭ、ＥＥＰＲＯＭ、およびＦＬＡＳＨメモリのうちの任意の１つまたは複数を備える。メモリ６４は、無線デバイス５０によって使用される任意の設定データ６８をも記憶し得る。処理回路要素５２は、たとえば、メモリ６４に記憶された適切なプログラムコードの使用を通して、以下で詳述される方法および／またはシグナリングプロセスのうちの１つまたは複数を行うように設定され得る。
【００５５】
無線デバイス５０の処理回路要素５２は、いくつかの実施形態によれば、前もって設定された２つ以上のＢＷＰのうちの１つ中で選択的に動作するように設定され、ここで、各ＢＷＰが、アップリンクおよび／またはダウンリンク動作のための利用可能帯域幅の異なるサブセットである。処理回路要素５２は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定される。
【００５６】
いくつかの実施形態によれば、処理回路要素５２は、図８に示されている、無線デバイス５０のための対応する方法８００を実施するように設定される。たとえば、方法８００は、アクティブＲＲＣ状態から非アクティブＲＲＣ状態に切り替えること（ブロック８０２）と、前記切り替えることの後に、前記切り替えることの直前にアクティブなＢＷＰに対応する物理レイヤ設定を保持すること（ブロック８０４）とを含む。
【００５７】
物理レイヤ設定は、前もって設定された２つ以上のＢＷＰのうちの、前記切り替えることの直前にアクティブなＢＷＰに一意に対応する専用物理レイヤ設定であり得る。保持することは、前記切り替えることの直前にアクティブなＢＷＰを含む、前もって設定された２つ以上のＢＷＰの各々のための専用物理レイヤ設定を保持することを含み得る。
【００５８】
いくつかの実施形態では、物理レイヤ設定は、前記切り替えることの直前にアクティブなＢＷＰを含む、前もって設定された２つ以上のＢＷＰに対応する共通物理レイヤ設定である。
【００５９】
方法８００は、後でアクティブＲＲＣ状態に復帰したときに、前記切り替えることの直前にアクティブなＢＷＰに対応する物理レイヤ設定を使用することを含み得る。方法８００は、前記切り替えることの後に、非アクティブＲＲＣ状態にある間に、前記切り替えることの直前にアクティブなＢＷＰに対応する物理レイヤ設定を使用してシステム情報および／またはページングを監視することをも含み得る。方法８００は、次いで、非アクティブＲＲＣ状態にある間に、前記切り替えることの直前にアクティブなＢＷＰに対応する物理レイヤ設定をランダムアクセス試行を行うために使用することを含み得る。方法８００は、ランダムアクセス試行の失敗時に、前記切り替えることの直前にアクティブなＢＷＰに対応する保持された物理レイヤ設定を廃棄し、後続のランダムアクセス試行のために初期ＢＷＰに戻ることをさらに含み得る。
【００６０】
いくつかの実施形態では、前記切り替えることの直前にアクティブなＢＷＰに対応する物理レイヤ設定の使用のいずれかが、非アクティブ状態にある間に、前記切り替えることの直前にアクティブなＢＷＰのための専用物理レイヤ設定の変更を指示するシステム情報（ＳＩ）を受信しなかったことを条件とする。
【００６１】
いくつかの場合には、保持することは、無線ネットワークノードから、ＢＷＰに対応する物理レイヤ設定を保つようにとの指示を受信したことに応答するものであり得る。無線デバイスは、非アクティブＲＲＣ状態にある間に、セルを、ソースセルからターゲットセルに変更し得、指示は、ターゲットセルを動作させるネットワークノードから受信される。他の場合には、無線デバイスは、非アクティブＲＲＣ状態にある間に、セルを、ソースセルからターゲットセルに変更し得、指示は、ソースセルを動作させるネットワークノードから受信される。指示は、ＲＲＣ中断メッセージ中で受信され得る。
【００６２】
前記切り替えることの直前にアクティブなＢＷＰに対応する物理レイヤ設定は、チャネル状態情報（ＣＳＩ）報告と、干渉測定報告と、サウンディング参照信号（ＳＲＳ）設定とのうちのいずれか１つまたは複数に関係するパラメータを含み得る。
【００６３】
図９は、いくつかの実施形態による、無線アクセスネットワークなどのアクセスネットワーク９１１とコアネットワーク９１４とを備える、３ＧＰＰタイプセルラーネットワークなどの通信ネットワーク９１０を含む通信システムを示す。アクセスネットワーク９１１は、ＮＢ、ｅＮＢ、ｇＮＢまたは他のタイプの無線アクセスポイントなど、複数の基地局９１２ａ、９１２ｂ、９１２ｃを備え、各々、対応するカバレッジエリア９１３ａ、９１３ｂ、９１３ｃを規定する。各基地局９１２ａ、９１２ｂ、９１２ｃは、有線接続または無線接続９１５を介してコアネットワーク９１４に接続可能である。カバレッジエリア９１３ｃ中に位置する第１のＵＥ９９１が、対応する基地局９１２ｃに無線で接続するか、または対応する基地局９１２ｃによってページングされるように設定される。カバレッジエリア９１３ａ中の第２のＵＥ９９２が、対応する基地局９１２ａに無線で接続可能である。この例では複数のＵＥ９９１、９９２が示されているが、開示される実施形態は、唯一のＵＥがカバレッジエリア中にある状況、または唯一のＵＥが対応する基地局９１２に接続している状況に等しく適用可能である。
【００６４】
通信ネットワーク９１０は、それ自体、ホストコンピュータ９３０に接続され、ホストコンピュータ９３０は、スタンドアロンサーバ、クラウド実装サーバ、分散型サーバのハードウェアおよび／またはソフトウェアで、あるいはサーバファーム中の処理リソースとして具現され得る。ホストコンピュータ９３０は、サービスプロバイダの所有または制御下にあり得、あるいはサービスプロバイダによってまたはサービスプロバイダに代わって動作され得る。通信ネットワーク９１０とホストコンピュータ９３０との間の接続９２１、９２２は、コアネットワーク９１４からホストコンピュータ９３０に直接延びるか、または随意の中間ネットワーク９２０を介して進み得る。中間ネットワーク９２０は、パブリックネットワーク、プライベートネットワーク、またはホストされたネットワークのうちの１つ、またはそれらのうちの２つ以上の組合せであり得、中間ネットワーク９２０は、もしあれば、バックボーンネットワークまたはインターネットであり得、特に、中間ネットワーク９２０は、２つまたはそれ以上のサブネットワーク（図示せず）を備え得る。
【００６５】
図９の通信システムは全体として、接続されたＵＥ９９１、９９２のうちの１つとホストコンピュータ９３０との間のコネクティビティを可能にする。コネクティビティは、オーバーザトップ（ＯＴＴ）接続９５０として説明され得る。ホストコンピュータ９３０および接続されたＵＥ９９１、９９２は、アクセスネットワーク９１１、コアネットワーク９１４、任意の中間ネットワーク９２０および考えられるさらなるインフラストラクチャ（図示せず）を媒介として使用して、ＯＴＴ接続９５０を介して、データおよび／またはシグナリングを通信するように設定される。ＯＴＴ接続９５０は、ＯＴＴ接続９５０が通過する、参加する通信デバイスが、アップリンクおよびダウンリンク通信のルーティングに気づいていないという点で、透過的であり得る。たとえば、基地局９１２は、接続されたＵＥ９９１にフォワーディング（たとえば、ハンドオーバ）されるべき、ホストコンピュータ９３０から発生したデータを伴う着信ダウンリンク通信の過去のルーティングについて、通知されないことがあり、または通知される必要がない。同様に、基地局９１２は、ＵＥ９９１から発生してホストコンピュータ９３０に向かう発信アップリンク通信の将来ルーティングに気づいている必要がない。
【００６６】
次に、一実施形態による、前の段落において説明されたＵＥ、基地局およびホストコンピュータの例示的な実装形態が、図１０を参照しながら説明される。通信システム１０００では、ホストコンピュータ１０１０は、通信システム１０００の異なる通信デバイスのインターフェースとの有線接続または無線接続をセットアップおよび維持するように設定された通信インターフェース１０１６を含む、ハードウェア１０１５を備える。ホストコンピュータ１０１０は、記憶能力および／または処理能力を有し得る、処理回路要素１０１８をさらに備える。特に、処理回路要素１０１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１０１０は、ホストコンピュータ１０１０に記憶されるかまたはホストコンピュータ１０１０によってアクセス可能であり、処理回路要素１０１８によって実行可能である、ソフトウェア１０１１をさらに備える。ソフトウェア１０１１は、ホストアプリケーション１０１２を含む。ホストアプリケーション１０１２は、ＵＥ１０３０およびホストコンピュータ１０１０において終端するＯＴＴ接続１０５０を介して接続するＵＥ１０３０など、リモートユーザにサービスを提供するように動作可能であり得る。リモートユーザにサービスを提供する際に、ホストアプリケーション１０１２は、ＯＴＴ接続１０５０を使用して送信されるユーザデータを提供し得る。
【００６７】
通信システム１０００は、通信システム中に提供される基地局１０２０をさらに含み、基地局１０２０は、基地局１０２０がホストコンピュータ１０１０およびＵＥ１０３０と通信することを可能にするハードウェア１０２５を備える。ハードウェア１０２５は、通信システム１０００の異なる通信デバイスのインターフェースとの有線接続または無線接続をセットアップおよび維持するための通信インターフェース１０２６、ならびに基地局１０２０によってサーブされるカバレッジエリア（図１０に図示せず）中に位置するＵＥ１０３０との少なくとも無線接続１０７０をセットアップおよび維持するための無線インターフェース１０２７を含み得る。通信インターフェース１０２６は、ホストコンピュータ１０１０への接続１０６０を容易にするように設定され得る。接続１０６０は直接であり得るか、あるいは接続１０６０は、通信システムのコアネットワーク（図１０に図示せず）を、および／または通信システムの外側の１つまたは複数の中間ネットワークを通過し得る。図示の実施形態では、基地局１０２０のハードウェア１０２５は、処理回路要素１０２８をさらに含み、処理回路要素１０２８は、命令を実行するように適応された、１つまたは複数のプログラマブルプロセッサ、特定用途向け集積回路、フィールドプログラマブルゲートアレイ、またはこれらの組合せ（図示せず）を備え得る。基地局１０２０は、内部的に記憶されるかまたは外部接続を介してアクセス可能なソフトウェア１０２１をさらに有する。
【００６８】
通信システム１０００は、すでに言及されたＵＥ１０３０をさらに含む。ＵＥ１０３０のハードウェア１０３５は、ＵＥ１０３０が現在位置するカバレッジエリアをサーブする基地局との無線接続１０７０をセットアップおよび維持するように設定された、無線インターフェース１０３７を含み得る。ＵＥ１０３０のハードウェア１０３５は、処理回路要素１０３８をさらに含み、処理回路要素１０３８は、命令を実行するように適応された、１つまたは複数のプログラマブルプロセッサ、特定用途向け集積回路、フィールドプログラマブルゲートアレイ、またはこれらの組合せ（図示せず）を備え得る。ＵＥ１０３０はソフトウェア１０３１をさらに備え、ソフトウェア１０３１は、ＵＥ１０３０に記憶されるかまたはＵＥ１０３０によってアクセス可能であり、処理回路要素１０３８によって実行可能である。ソフトウェア１０３１は、クライアントアプリケーション１０３２を含む。クライアントアプリケーション１０３２は、ホストコンピュータ１０１０のサポートを伴って、ＵＥ１０３０を介して人間のまたは人間でないユーザにサービスを提供するように動作可能であり得る。ホストコンピュータ１０１０では、実行しているホストアプリケーション１０１２は、ＵＥ１０３０およびホストコンピュータ１０１０において終端するＯＴＴ接続１０５０を介して、実行しているクライアントアプリケーション１０３２と通信し得る。ユーザにサービスを提供する際に、クライアントアプリケーション１０３２は、ホストアプリケーション１０１２から要求データを受信し、要求データに応答してユーザデータを提供し得る。ＯＴＴ接続１０５０は、要求データとユーザデータの両方を転送し得る。クライアントアプリケーション１０３２は、クライアントアプリケーション１０３２が提供するユーザデータを生成するためにユーザと対話し得る。
【００６９】
図１０に示されているホストコンピュータ１０１０、基地局１０２０およびＵＥ１０３０は、それぞれ、図９のホストコンピュータ９３０、基地局９１２ａ、９１２ｂ、９１２ｃのうちの１つ、およびＵＥ９９１、９９２のうちの１つと同等であり得ることに留意されたい。つまり、これらのエンティティの内部の働きは、図１０に示されているようなものであり得、別個に、周囲のネットワークトポロジーは、図９のものであり得る。
【００７０】
図１０では、ＯＴＴ接続１０５０は、中間デバイスとこれらのデバイスを介したメッセージの正確なルーティングとへの明示的言及なしに、基地局１０２０を介したホストコンピュータ１０１０とユーザ機器１０３０との間の通信を示すために、抽象的に描かれている。ネットワークインフラストラクチャが、ルーティングを決定し得、ネットワークインフラストラクチャは、ＵＥ１０３０からまたはホストコンピュータ１０１０を動作させるサービスプロバイダから、またはその両方からルーティングを隠すように設定され得る。ＯＴＴ接続１０５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【００７１】
ＵＥ１０３０と基地局１０２０との間の無線接続１０７０は、対応する方法６００および８００とともに、無線デバイス５０およびネットワークノード３０などのノードによって提供されるものなど、本開示全体にわたって説明される実施形態の教示によるものである。問題は、ＵＥが、アイドル状態または非アクティブ状態のいずれかに入るたびに、ＵＥが、専用ＢＷＰ設定を廃棄することである。これは、ＵＥへのＲＲＣシグナリングを介して送出されたすべてのＢＷＰ設定が廃棄されることになることを意味する。実施形態の利点は、ＵＥが接続モードに再び入るたびに、専用ＢＷＰ設定シグナリングが回避され得ることである。これは、ＯＴＴ接続１０５０を使用して、ＵＥ遷移時間、ならびにネットワークおよびＵＥ１０３０のためのデータレート、容量、レイテンシおよび／または電力消費を改善し、それにより、低減されたユーザ待ち時間、より多くの容量、より良い応答性、およびより良いデバイスバッテリー時間などの利益を提供する。
【００７２】
１つまたは複数の実施形態が改善する、データレート、レイテンシおよび他のファクタを監視する目的での、測定プロシージャが提供され得る。測定結果の変動に応答して、ホストコンピュータ１０１０とＵＥ１０３０との間のＯＴＴ接続１０５０を再設定するための随意のネットワーク機能性がさらにあり得る。測定プロシージャおよび／またはＯＴＴ接続１０５０を再設定するためのネットワーク機能性は、ホストコンピュータ１０１０のソフトウェア１０１１においてまたはＵＥ１０３０のソフトウェア１０３１において、またはその両方において実装され得る。実施形態では、ＯＴＴ接続１０５０が通過する通信デバイスにおいてまたはそれに関連して、センサー（図示せず）が展開され得、センサーは、上記で例示された監視された量の値を供給すること、またはソフトウェア１０１１、１０３１が監視された量を算出または推定し得る他の物理量の値を供給することによって、測定プロシージャに参加し得る。ＯＴＴ接続１０５０の再設定は、メッセージフォーマット、再送信セッティング、好ましいルーティングなどを含み得、再設定は、基地局１０２０に影響を及ぼす必要がなく、再設定は、基地局１０２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１０１０の測定を容易にするプロプライエタリＵＥシグナリングを伴い得る。測定は、ソフトウェア１０１１、１０３１が、ソフトウェア１０１１、１０３１が伝搬時間、エラーなどを監視する間にＯＴＴ接続１０５０を使用して、メッセージ、特に空のまたは「ダミー」メッセージが送信されることを引き起こすことにおいて、実装され得る。
【００７３】
図１１は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１１への図面参照のみがこのセクションに含まれる。方法の第１のステップ１１１０において、ホストコンピュータはユーザデータを提供する。第１のステップ１１１０の随意のサブステップ１１１１において、ホストコンピュータは、ホストアプリケーションを実行することによって、ユーザデータを提供する。第２のステップ１１２０において、ホストコンピュータは、ＵＥにユーザデータを搬送する送信を始動する。随意の第３のステップ１１３０において、基地局は、本開示全体にわたって説明される実施形態の教示に従って、ホストコンピュータが始動した送信において搬送されたユーザデータをＵＥに送信する。随意の第４のステップ１１４０において、ＵＥは、ホストコンピュータによって実行されたホストアプリケーションに関連付けられたクライアントアプリケーションを実行する。
【００７４】
図１２は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１２への図面参照のみがこのセクションに含まれる。方法の第１のステップ１２１０において、ホストコンピュータはユーザデータを提供する。随意のサブステップ（図示せず）において、ホストコンピュータは、ホストアプリケーションを実行することによって、ユーザデータを提供する。第２のステップ１２２０において、ホストコンピュータは、ＵＥにユーザデータを搬送する送信を始動する。送信は、本開示全体にわたって説明される実施形態の教示に従って、基地局を介して進み得る。随意の第３のステップ１２３０において、ＵＥは、送信において搬送されたユーザデータを受信する。
【００７５】
図１３は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１３への図面参照のみがこのセクションに含まれる。方法の随意の第１のステップ１３１０において、ＵＥは、ホストコンピュータによって提供された入力データを受信する。追加または代替として、随意の第２のステップ１３２０において、ＵＥはユーザデータを提供する。第２のステップ１３２０の随意のサブステップ１３２１において、ＵＥは、クライアントアプリケーションを実行することによって、ユーザデータを提供する。第１のステップ１３１０のさらなる随意のサブステップ１３１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、随意の第３のサブステップ１３３０において、ホストコンピュータへのユーザデータの送信を始動する。方法の第４のステップ１３４０において、ホストコンピュータは、本開示全体にわたって説明される実施形態の教示に従って、ＵＥから送信されたユーザデータを受信する。
【００７６】
図１４は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１４への図面参照のみがこのセクションに含まれる。方法の随意の第１のステップ１４１０において、本開示全体にわたって説明される実施形態の教示に従って、基地局は、ＵＥからユーザデータを受信する。随意の第２のステップ１４２０において、基地局は、ホストコンピュータへの、受信されたユーザデータの送信を始動する。第３のステップ１４３０において、ホストコンピュータは、基地局によって始動された送信において搬送されたユーザデータを受信する。
【００７７】
いくつかの実施形態によれば、ホストコンピュータを含む通信システムは、ユーザデータを提供するように設定された処理回路要素と、前もって設定された２つ以上のＢＷＰのうちの１つ中で選択的に動作するように設定されたＵＥへの送信のためにユーザデータをセルラーネットワークにフォワーディングするように設定された通信インターフェースであって、各ＢＷＰが、アップリンクおよび／またはダウンリンク動作のための利用可能帯域幅の異なるサブセットである、通信インターフェースとを備える。セルラーネットワークは、ＵＥをサーブするように設定された基地局であって、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定された基地局を備える。通信システムは、基地局および／またはＵＥを備え得、ここで、ＵＥは、基地局と通信するように設定される。ホストコンピュータの処理回路要素は、ホストアプリケーションを実行し、それによりユーザデータを提供するように設定され得、ＵＥは、ホストアプリケーションに関連付けられたクライアントアプリケーションを実行するように設定された処理回路要素を備え得る。
【００７８】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、ユーザデータを提供することと、ＵＥをサーブするように設定された基地局を備えるセルラーネットワークを介してＵＥにユーザデータを搬送する送信を始動することとを含み、ここで、基地局における方法が、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出することを含む。方法は、基地局において、ユーザデータを送信することを含み得る。ユーザデータは、ホストアプリケーションを実行することによってホストコンピュータにおいて提供され得、方法は、ＵＥにおいて、ホストアプリケーションに関連付けられたクライアントアプリケーションを実行することをさらに含む。
【００７９】
いくつかの実施形態によれば、ホストコンピュータを含む通信システムは、ユーザデータを提供するように設定された処理回路要素と、前もって設定された２つ以上のＢＷＰのうちの１つ中で選択的に動作するように設定されたＵＥへの送信のためにユーザデータをセルラーネットワークにフォワーディングするように設定された通信インターフェースであって、各ＢＷＰが、アップリンクおよび／またはダウンリンク動作のための利用可能帯域幅の異なるサブセットである、通信インターフェースとを備え、ここで、ＵＥは、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定された、無線インターフェースと処理回路要素とを備える。通信システムはＵＥをさらに含み得、セルラーネットワークは、ＵＥと通信するように設定された基地局をさらに含み得る。ホストコンピュータの処理回路要素は、ホストアプリケーションを実行し、それによりユーザデータを提供するように設定され得、ＵＥの処理回路要素は、ホストアプリケーションに関連付けられたクライアントアプリケーションを実行するように設定され得る。
【００８０】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、ユーザデータを提供することと、基地局を備えるセルラーネットワークを介してＵＥにユーザデータを搬送する送信を始動することとを含む。方法は、ＵＥにおいて、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、ＵＥにおいて、基地局からユーザデータを受信することをさらに含み得る。
【００８１】
いくつかの実施形態によれば、ホストコンピュータを含む通信システムは、ＵＥから基地局への送信から発生したユーザデータを受信するように設定された通信インターフェースであって、ＵＥが、前もって設定された２つ以上のＢＷＰのうちの１つ中で選択的に動作するように設定され、各ＢＷＰが、アップリンクおよび／またはダウンリンク動作のための利用可能帯域幅の異なるサブセットである、通信インターフェースを備える。ＵＥの処理回路要素は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを行うように設定される。通信システムは、ＵＥをさらに含み得る。通信システムは、基地局をさらに含み得、ここで、基地局は、ＵＥと通信するように設定された無線インターフェースと、ＵＥから基地局への送信によって搬送されたユーザデータをホストコンピュータにフォワーディングするように設定された通信インターフェースとを備える。ホストコンピュータの処理回路要素は、ホストアプリケーションを実行するように設定され得、ＵＥの処理回路要素は、ホストアプリケーションに関連付けられたクライアントアプリケーションを実行し、それによりユーザデータを提供するように設定され得る。ホストコンピュータの処理回路要素は、ホストアプリケーションを実行し、それにより要求データを提供するように設定され得、ＵＥの処理回路要素は、ホストアプリケーションに関連付けられたクライアントアプリケーションを実行し、それにより要求データに応答してユーザデータを提供するように設定され得る。
【００８２】
いくつかの実施形態によれば、前もって設定された２つ以上のＢＷＰのうちの１つ中で選択的に動作するように設定されたＵＥにおける方法であって、各ＢＷＰが、アップリンクおよび／またはダウンリンク動作のための利用可能帯域幅の異なるサブセットである、方法は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、ユーザデータを提供することと、基地局への送信を介してホストコンピュータにユーザデータをフォワーディングすることとをさらに含み得る。
【００８３】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、ＵＥから基地局に送信されたユーザデータを受信することを含む。方法は、ＵＥにおいて、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、ＵＥにおいて、基地局にユーザデータを提供することをさらに含み得る。方法は、ＵＥにおいて、クライアントアプリケーションを実行し、それにより、送信されるべきユーザデータを提供することと、ホストコンピュータにおいて、クライアントアプリケーションに関連付けられたホストアプリケーションを実行することとをさらに含み得る。方法は、ＵＥにおいて、クライアントアプリケーションを実行することと、ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することとをさらに含み得る。送信されるべきユーザデータは、入力データに応答してクライアントアプリケーションによって提供される。
【００８４】
いくつかの実施形態によれば、通信システムは、ＵＥから基地局への送信から発生したユーザデータを受信するように設定された通信インターフェースを備えるホストコンピュータであって、ＵＥが、前もって設定された２つ以上のＢＷＰのうちの１つ中で選択的に動作するように設定され、各ＢＷＰが、アップリンクおよび／またはダウンリンク動作のための利用可能帯域幅の異なるサブセットである、ホストコンピュータを含む。基地局は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するように設定された、無線インターフェースと処理回路要素とを備える。通信システムは基地局をさらに含み得る。通信システムはＵＥをさらに含み得、ここで、ＵＥは、基地局と通信するように設定される。ホストコンピュータの処理回路要素は、ホストアプリケーションを実行するように設定され得る。ＵＥは、ホストアプリケーションに関連付けられたクライアントアプリケーションを実行し、それにより、ホストコンピュータによって受信されるべきユーザデータを提供するように設定され得る。
【００８５】
いくつかの実施形態によれば、ホストコンピュータと、基地局と、前もって設定された２つ以上のＢＷＰのうちの１つ中で選択的に動作するように設定されたＵＥとを含む通信システムにおいて実装される方法であって、各ＢＷＰが、アップリンクおよび／またはダウンリンク動作のための利用可能帯域幅の異なるサブセットである、方法は、ホストコンピュータにおいて、基地局がＵＥから受信した送信から発生したユーザデータを基地局から受信することを含む。ＵＥにおける方法は、アクティブＲＲＣ状態から非アクティブＲＲＣ状態に切り替えることと、前記切り替えることの後に、前記切り替えることの直前にアクティブなＢＷＰに対応する物理レイヤ設定を保持することとを含む。方法は、基地局において、ＵＥからユーザデータを受信することをさらに含み得る。方法は、基地局において、ホストコンピュータへの、受信されたユーザデータの送信を始動することをさらに含み得る。
【００８６】
上記で詳細に説明されたように、本明細書で説明される技法は、たとえば、図６および図８のプロセスフロー図に示されているように、全体的にまたは部分的に、１つまたは複数のプロセッサによって実行されるコンピュータプログラム命令を使用して実装され得る。これらの技法の機能的実装形態が、機能モジュールに関して表され得、ここで、各機能モジュールが、適切なプロセッサ中で実行するソフトウェアの機能ユニットに、または機能的デジタルハードウェア回路に、またはその両方の何らかの組合せに対応することが諒解されよう。
【００８７】
図１５は、ネットワークノード３０において実装され得るような、例示的な機能モジュールまたは回路アーキテクチャを示す。機能的実装形態は、アクティブＲＲＣ状態から非アクティブＲＲＣ状態に切り替えると、少なくとも１つの無線デバイスに、前記切り替えることの直前に無線デバイスによって使用中のＢＷＰに対応する物理レイヤ設定を保持するようにとの指示を送出するための送出モジュール１５０２を含む。
【００８８】
図１６は、無線デバイス５０において実装され得るような、例示的な機能モジュールまたは回路アーキテクチャを示す。実装形態は、アクティブＲＲＣ状態から非アクティブＲＲＣ状態に切り替えるための切替えモジュール１６０２を含む。実装形態は、前記切り替えることの後に、前記切り替えることの直前にアクティブなＢＷＰに対応する物理レイヤ設定を保持するための保持モジュール１６０４をも含む。
【００８９】
本発明概念の原理から実質的に逸脱することなしに、実施形態に対して多くの変形および修正が行われ得る。すべてのそのような変形および修正は、本発明概念の範囲内で本明細書に含まれるものとする。したがって、上記で開示された主題は、例示であり、限定するものではないと見なされるべきであり、実施形態の例は、本発明概念の趣旨および範囲内に入る、すべてのそのような修正、拡張、および他の実施形態をカバーするものとする。したがって、法によって最大限に許容される限りにおいて、本発明概念の範囲は、実施形態およびそれらの等価物の例を含む、本開示の最も広い許容可能な解釈によって決定されるべきであり、上記の詳細な説明によって制限または限定されるべきでない。
【国際調査報告】
2021514131.tif 000041
2021514131.tif 000042